(57)【要約】【課題】  スポットの小径化と透過光量の確保とをバランス良く行う。【解決手段】  レンズ１は光ピックアップ装置に設けられる。光ピックアップ装置は、少なくとも、波長４００〜４４０ｎｍの範囲内の波長λ１のレーザー光源から出た光を光記録媒体上に集光することにより、光記録媒体への情報の記録と光記録媒体に記録された情報の再生との少なくとも一方を実行可能である。レンズ１は光を光記録媒体上に集光する。レンズ面上の一位置における法線と光軸とがなす角度をθとした場合に、光が入射する側のレンズ面Ｓ１は角度θが４５度以上である周辺部Ｐ１を有する。レンズ面Ｓ１には反射防止コート３が設けられている。反射防止コート３は、角度θが０度であるレンズ面Ｓ１の中央部Ｃ１において角度０度で入射する光の反射率を極小とする波長λ２がλ１＜λ２、４２０ｎｍ≦λ２≦６８０ｎｍを満たすよう、膜厚が設定されている。【選択図】図１
2005011494.tif 000002
【特許請求の範囲】
【請求項１】
４００〜４４０ｎｍの範囲内の少なくとも一種類の波長λ１のレーザー光源から出た光を光記録媒体上に集光することにより、この光記録媒体への情報の記録と、前記光記録媒体に記録された情報の再生と、の少なくとも一方を実行可能な光情報記録再生装置に設けられ、前記光を前記光記録媒体上に集光する光学レンズであって、
レンズ面上の一位置における法線と、光軸と、がなす角度をθとした場合に、前記レーザー光源から出た光が入射する側の光入射側レンズ面は、角度θが４５度以上である周辺部を有しており、
前記光入射側レンズ面に反射防止膜が設けられ、
この反射防止膜は、
角度θが０度である前記光入射側レンズ面の中央部において角度０度で入射する光の反射率を極小とする波長λ２がλ１＜λ２、４２０ｎｍ≦λ２≦６８０ｎｍを満たすよう、厚さが設定されていることを特徴とする光学レンズ。
【請求項２】
前記光入射側レンズ面に設けられる反射防止膜は、角度θが４５度である前記光入射側レンズ面の周辺部において角度０度で入射する光の反射率を極小とする波長λ３が３４０ｎｍ≦λ３≦５６０ｎｍを満たすよう、厚さが設定されていることを特徴とする請求項１記載の光学レンズ。
【請求項３】
光を出射する側の光出射側レンズ面に反射防止膜が設けられ、
この反射防止膜は、
角度θが０度である前記光出射側レンズ面の中央部において角度０度で入射する光の反射率を極小とする波長λ４が４０５ｎｍ≦λ４≦５００ｎｍを満たすよう、厚さが設定されていることを特徴とする請求項１または２記載の光学レンズ。
【請求項４】
前記光入射側レンズ面に設けられる反射防止膜は、角度θが０度である前記光入射側レンズ面の中央部において角度０度で入射する光の反射率を極小とする波長λ２が４８０ｎｍ≦λ２≦５７０ｎｍを満たすよう、厚さが設定されていることを特徴とする請求項１〜３の何れか一項に記載の光学レンズ。
【請求項５】
前記光入射側レンズ面に設けられる反射防止膜は、角度θが４５度である前記光入射側レンズ面の周辺部において角度０度で入射する光の反射率を極小とする波長λ３が４００ｎｍ≦λ３≦４８０ｎｍを満たすよう、厚さが設定されていることを特徴とする請求項４記載の光学レンズ。
【請求項６】
前記光入射側レンズ面に設けられる反射防止膜は、角度θが０度である前記光入射側レンズ面の中央部において角度０度で入射する波長４０５ｎｍの光の反射率が、角度θが４５度である前記光入射側レンズ面の周辺部において角度０度で入射する波長４０５ｎｍの光の反射率より大きくなるよう、厚さが設定されていることを特徴とする請求項１〜５の何れか一項に記載の光学レンズ。
【請求項７】
４００〜４４０ｎｍの範囲内の少なくとも一種類の波長λ１のレーザー光源から出た光を光記録媒体上に集光することにより、この光記録媒体への情報の記録と、前記光記録媒体に記録された情報の再生と、の少なくとも一方を実行可能な光情報記録再生装置に設けられ、前記光を前記光記録媒体上に集光する光学レンズであって、
レーザー光源から出た光が入射する第１レンズと、この第１レンズを通過した光が入射する第２レンズとから構成され、
レンズ面上の一位置における法線と、光軸と、がなす角度をθとした場合に、前記第１レンズにおいて、前記レーザー光源から出た光が入射する側の第１光入射側レンズ面は、角度θが３０度以上である周辺部を有しており、前記第２レンズにおいて、前記レーザー光源から出た光が入射する側の第２光入射側レンズ面は、角度θが４５度以上である周辺部を有しており、
前記第1光入射側レンズ面に反射防止膜が設けられ、
この反射防止膜は、
角度θが０度である前記第１光入射側レンズ面の中央部において角度０度で入射する光の反射率を極小とする波長λ５がλ１＜λ５、４１０ｎｍ≦λ５≦６００ｎｍを満たすよう、厚さが設定されていることを特徴とする光学レンズ。
【請求項８】
前記第１レンズにおいて前記第1光入射側レンズ面に設けられる反射防止膜は、角度θが３０度である前記第１光入射側レンズ面の周辺部において角度０度で入射する光の反射率を極小とする波長λ６が３７０ｎｍ≦λ６≦５５０ｎｍを満たすよう、厚さが設定されていることを特徴とする請求項７記載の光学レンズ。
【請求項９】
前記第２レンズにおいて、前記第２光入射側レンズ面に反射防止膜が設けられ、
この反射防止膜は、
角度θが０度である前記第２光入射側レンズ面の中央部において角度０度で入射する光の反射率を極小とする波長λ７がλ１＜λ７、４２０ｎｍ≦λ７≦６００ｎｍを満たすよう、厚さが設定されていることを特徴とする請求項７または８記載の光学レンズ。
【請求項１０】
前記第２レンズにおいて、前記第２光入射側レンズ面に反射防止膜が設けられ、
この反射防止膜は、角度θが４５度である前記第２光入射側レンズ面の周辺部において角度０度で入射する光の反射率を極小とする波長λ８が３４５ｎｍ≦λ８≦４９０ｎｍを満たすよう、厚さが設定されていることを特徴とする請求項７〜９の何れか一項に記載の光学レンズ。
【請求項１１】
前記第１レンズにおいて、光を出射する側の第１光出射側レンズ面に反射防止膜が設けられ、
この反射防止膜は、
角度θが０度である前記第１光出射側レンズ面の中央部において角度０度で入射する光の反射率を極小とする波長λ９が３８０ｎｍ≦λ９≦５００ｎｍを満たすよう、厚さが設定されており、
前記第２レンズにおいて、光を出射する側の第２光出射側レンズ面に反射防止膜が設けられ、
この反射防止膜は、
角度θが０度である前記第２光出射側レンズ面の中央部において角度０度で入射する光の反射率を極小とする波長λ１０が３８０ｎｍ≦λ１０≦５００ｎｍを満たすよう、厚さが設定されていることを特徴とする請求項７〜１０の何れか一項に記載の光学レンズ。
【請求項１２】
前記第１レンズにおいて、前記第１光入射側レンズ面に設けられる反射防止膜は、角度θが０度である前記第１光入射側レンズ面の中央部において角度０度で入射する光の反射率を極小とする波長λ５が４２０ｎｍ≦λ５≦４８０ｎｍを満たすよう、厚さが設定されていることを特徴とする請求項７〜１１の何れか一項に記載の光学レンズ。
【請求項１３】
前記第１レンズにおいて、前記第１光入射側レンズ面に設けられる反射防止膜は、角度θが３０度である前記第１光入射側レンズ面の周辺部において角度０度で入射する光の反射率を極小とする波長λ６が３８０ｎｍ≦λ６≦４４０ｎｍを満たすよう、厚さが設定されていることを特徴とする請求項１２記載の光学レンズ。
【請求項１４】
前記第１レンズにおいて、前記第１光入射側レンズ面に設けられる反射防止膜は、角度θが０度である前記光入射側レンズ面の中央部において角度０度で入射する波長４０５ｎｍの光の反射率が、角度θが３０度である前記光入射側レンズ面の周辺部において角度０度で入射する波長４０５ｎｍの光の反射率より大きくなるよう、厚さが設定されていることを特徴とする請求項７〜１３の何れか一項に記載の光学レンズ。
【請求項１５】
前記第２レンズにおいて、前記第２光入射側レンズ面に反射防止膜が設けられ、
この反射防止膜は、角度θが０度である前記第２光入射側レンズ面の中央部において角度０度で入射する光の反射率を極小とする波長λ７が４３０ｎｍ≦λ７≦４８０ｎｍを満たすよう、厚さが設定されていることを特徴とする請求項７〜１４の何れか一項に記載の光学レンズ。
【請求項１６】
前記第２レンズにおいて、前記第２光入射側レンズ面に設けられる反射防止膜は、角度θが４５度である前記第２光入射側レンズ面の周辺部において角度０度で入射する光の反射率を極小とする波長λ８が３５７ｎｍ≦λ８≦４００ｎｍを満たすよう、厚さが設定されていることを特徴とする請求項１５記載の光学レンズ。
【請求項１７】
前記第２レンズにおいて、前記第２光入射側レンズ面に反射防止膜が設けられ、
この反射防止膜は、角度θが０度である前記第２光入射側レンズ面の中央部において角度０度で入射する波長４０５ｎｍの光の反射率が、角度θが４５度である前記第２光入射側レンズ面の周辺部において角度０度で入射する波長４０５ｎｍの光の反射率より大きくなるよう、厚さが設定されていることを特徴とする請求項７〜１３の何れか一項に記載の光学レンズ。
【請求項１８】
６３０〜６８０ｎｍの範囲内の少なくとも１種類の波長λ１１のレーザー光源から出た光を光記録媒体上に集光することにより、この光記録媒体への情報の記録と、前記光記録媒体に記録された情報の再生と、の少なくとも一方を実行可能な光情報記録再生装置に設けられ、前記光を前記光記録媒体上に集光する光学レンズであって、
レンズ面上の一位置における法線と、光軸と、がなす角度をθとした場合に、前記レーザー光源から出た光が入射する側の光入射側レンズ面は、角度θが４５度以上である周辺部を有しており、
前記光入射側レンズ面に反射防止膜が設けられ、
この反射防止膜は、
角度θが０度である前記光入射側レンズ面の中央部において角度０度で入射する光の反射率を極小とする波長λ１２がλ１１＜λ１２、６８０ｎｍ≦λ１２≦８７０ｎｍを満たすよう、厚さが設定されていることを特徴とする光学レンズ。
【請求項１９】
光を出射する側の光出射側レンズ面に反射防止膜が設けられ、
この反射防止膜は、
角度θが０度である前記光出射側レンズ面の中央部において角度０度で入射する光の反射率を極小とする波長λ１３が６５０ｎｍ≦λ１３≦８００ｎｍを満たすよう、厚さが設定されていることを特徴とする請求項１８記載の光学レンズ。
【請求項２０】
前記光入射側レンズ面に設けられる反射防止膜は、角度θが４５度である前記光入射側レンズ面の周辺部において角度０度で入射する光の反射率を極小とする波長λ１４が５６０ｎｍ≦λ１４≦７２２ｎｍを満たすよう、厚さが設定されていることを特徴とする請求項１８または１９記載の光学レンズ。
【請求項２１】
光を出射する側の光出射側レンズ面に反射防止膜が設けられ、
この反射防止膜は、角度θが０度である前記光出射側レンズ面の中央部において角度０度で入射する光の反射率を極小とする波長λ１３が６７０ｎｍ≦λ１３≦８００ｎｍを満たすよう、厚さが設定されており、
前記光入射側レンズ面に設けられる反射防止膜は、角度θが０度である前記光入射側レンズ面の中央部において角度０度で入射する光の反射率を極小とする波長λ１２が７１０ｎｍ≦λ１２≦８５０ｎｍを満たすとともに、角度θが４５度である前記光入射側レンズ面の周辺部において角度０度で入射する光の反射率を極小とする波長λ１４が５８０ｎｍ≦λ１４≦７０５ｎｍを満たすよう、厚さが設定されていることを特徴とする請求項１８〜２０の何れか一項に記載の光学レンズ。
【請求項２２】
波長６３０〜６８０ｎｍの範囲内の少なくとも一種類の波長λ１１のレーザー光源から出た光と、波長７７０〜７９０ｎｍの範囲内の少なくとも一種類の波長λ１５のレーザー光源から出た光とを、それぞれ光記録媒体上に集光することを特徴とする請求項１８〜２１の何れか一項に記載の光学レンズ。
【請求項２３】
光を出射する側の光出射側レンズ面に反射防止膜が設けられ、
この反射防止膜は、角度θが０度である前記光出射側レンズ面の中央部において角度０度で入射する光の反射率を極小とする波長λ１３が７１０ｎｍ≦λ１３≦７９０ｎｍを満たすよう、厚さが設定されており、
前記光入射側レンズ面に設けられる反射防止膜は、角度θが０度である前記光入射側レンズ面の中央部において角度０度で入射する光の反射率を極小とする波長λ１２が７１０ｎｍ≦λ１２≦７９０ｎｍを満たすよう、厚さが設定されていることを特徴とする請求項１８〜２２の何れか一項に記載の光学レンズ。
【請求項２４】
前記光入射側レンズ面に設けられる反射防止膜は、角度θが４５度である前記光入射側レンズ面の周辺部において角度０度で入射する光の反射率を極小とする波長λ１４が５９０ｎｍ≦λ１４≦６６０ｎｍを満たすよう、厚さが設定されていることを特徴とする請求項２３記載の光学レンズ。
【請求項２５】
前記光入射側レンズ面に設けられる反射防止膜は、角度θが０度である前記光入射側レンズ面の中央部において角度０度で入射する波長６５０ｎｍの光の反射率が、角度θが４５度である前記光入射側レンズ面の周辺部において角度０度で入射する波長６５０ｎｍの光の反射率より大きくなるよう、厚さが設定されていることを特徴とする請求項１８〜２４の何れか一項に記載の光学レンズ。
【請求項２６】
前記反射防止膜は、真空蒸着法、スパッタ法、スピン塗布コート法、ディッピング塗布コート法、ＣＶＤ法及び大気圧プラズマ法のうちの何れかによって形成されることを特徴とする請求項１〜２５の何れか一項に記載の光学レンズ。
【請求項２７】
前記反射防止膜は、高屈折率材料、中屈折率材料及び低屈折率材料の少なくとも１種類の材料からなることを特徴とする請求項１〜２６の何れか一項に記載の光学レンズ。
【請求項２８】
前記反射防止膜は、前記低屈折率材料からなる層を少なくとも１層有し、
前記低屈折率材料は、酸化シリコンと、酸化シリコン及び酸化アルミニウムの混合材料との何れか一方であることを特徴とする請求項２７記載の光学レンズ。
【請求項２９】
前記反射防止膜は、前記低屈折率材料からなる層により単層で構成されることを特徴とする請求項２８記載の光学レンズ。
【請求項３０】
レーザー光源と、請求項１〜２９の何れか一項に記載の光学レンズと、を備え、
前記レーザー光源から出た光を前記光学レンズによって光記録媒体上に集光することにより、この光記録媒体への情報の記録と、前記光記録媒体に記録された情報の再生と、の少なくとも一方を実行可能であることを特徴とする光情報記録再生装置。
【発明の詳細な説明】
【技術分野】
【０００１】
本発明は、光記録媒体への情報の記録と、光記録媒体に記録された情報の再生と、の少なくとも一方を実行可能な光情報記録再生装置に設けられる光学レンズと、この光学レンズを備える光情報記録再生装置とに関する。
【背景技術】
【０００２】
従来より、光記録媒体への情報の記録や、光記録媒体に記録された情報の再生を行う装置として、光ピックアップ装置（光情報記録再生装置）がある。光ピックアップ装置においては、半導体レーザー光源から出た光を対物レンズ（光学レンズ）により光記録媒体の情報記録面に集光し、情報の記録・再生を行うようになっている。
【０００３】
この対物レンズには、光の利用効率を向上するため、反射防止コートが設けられている。反射防止コートは、一般的に対物レンズの中央部から周辺部へ行くほど薄く形成され、対物レンズの中央部において垂直入射する光の反射率が光ピックアップ装置のレーザー光の波長に対して極小値を示すよう、膜厚が設定されている。すなわち、対物レンズの中央部を透過する光量が最大となるよう、反射防止コートの膜厚が設定されている。
【０００４】
ところで、反射防止コートにおいては、光の入射角度が大きいほど、光の反射率の波長依存性が短波長側にシフトすることが知られている。また、対物レンズでは、中央部から周辺部へ行くほど、光の入射角度は大きい。そのため、従来の対物レンズにおいては、周辺部における光の反射率の波長依存性が中央部における光の反射率の波長依存性よりも、より短波長側にシフトすることとなり、その結果、周辺部において入射する光の反射率を極小とする波長は、中央部において入射する光の反射率を極小とする波長よりも、より短波長であった。したがって、従来の反射防止コートが設けられた対物レンズにおいては、中央部ではレーザー光に対する反射率が低いものの、周辺部ではレーザー光に対する反射率がより高いため、周辺部の透過光量が中央部の透過光量に比べて相対的に少なくなる結果、レンズ全体の透過光の分光強度の劣化や、光の集束性能の低下によるビームスポット径の増大、ビーム光量の低下などの問題が生じていた。
【０００５】
また、近年では、光記録媒体の大容量化のため、光による情報の記録や再生を高密度記録状態で実施できるよう、光ビームスポットの小径化、すなわち対物レンズによりビームスポットを十分に絞り込む試みがなされている。ビームスポット径は対物レンズの開口数（ＮＡ：Numerical Aperture）に反比例するため、対物レンズの高ＮＡ化が進んでいる。最近では、レンズ有効径面の法線と光軸とが交わる角度が４５度以上、さらに５５度以上のレンズが用いられるようになっている。
しかし、高ＮＡの対物レンズはレンズ面の曲率が大きいため、レンズの周辺部における光の入射角度が非常に大きい。このため、周辺部を透過する光量が低下する程度が非常に大きくなってしまい、高ＮＡの対物レンズを用いているのにも関わらずスポット径の増大を抑えられず、光記録媒体の大容量化の妨げとなっていた。
【０００６】
そのため、以上の問題を解決する技術として、周辺部の透過光量を増加させることによってレンズ全体の透過光量を増加させる技術がある（例えば、特許文献１〜３参照）。
【特許文献１】特開平１０−１６０９０６号公報
【特許文献２】特開平１１―２２２４４６号公報
【特許文献３】特開２００１−６２０４号公報
【発明の開示】
【発明が解決しようとする課題】
【０００７】
しかしながら、上記特許文献１〜３に開示の技術によって周辺部の透過光量を単純に増加させる場合には、ビーム形状が崩れ、ジッター特性の悪化、クロストークの増大等の問題が生じ、記録・再生の性能低下が起こる可能性があった。このように、光の集光性と、光量と、の両方のバランスを最適化することは困難であった。
【０００８】
特に、二種類の波長のレーザー光を用いた光ピックアップ、例えば波長６６０ｎｍの光と波長７８５ｎｍの光とを用いたＣＤ／ＤＶＤ用光ピックアップの対物レンズにおいては、二種類の波長の光両方に対して、透過光量を増加するとともにビーム形状を最適化するのは、非常に困難であった。
【０００９】
以上の問題をふまえ、本発明の課題は、スポットの小径化と、透過光量の確保とを、バランス良く行うことができる光学レンズ、および、この光学レンズを備える光情報記録再生装置を提供することである。
特に、より集光性の良い高ＮＡの光学レンズを提供し、また、光記録媒体の大容量化を実現できる光情報記録再生装置を提供することである。
また、波長６３０〜６８０ｎｍのレーザー光や、波長４００〜４４０ｎｍのレーザー光を用いた光情報記録再生に用いる光学レンズや、二種類の波長のレーザー光を用いたＤＶＤとＣＤの両方の光情報記録再生に用いる光学レンズを、より高性能化することである。
【課題を解決するための手段】
【００１０】
以上の課題を解決するため、請求項１記載の発明は、４００〜４４０ｎｍの範囲内の少なくとも一種類の波長λ１のレーザー光源から出た光を光記録媒体上に集光することにより、この光記録媒体への情報の記録と、前記光記録媒体に記録された情報の再生と、の少なくとも一方を実行可能な光情報記録再生装置に設けられ、前記光を前記光記録媒体上に集光する光学レンズであって、
レンズ面上の一位置における法線と、光軸と、がなす角度をθとした場合に、前記レーザー光源から出た光が入射する側の光入射側レンズ面は、角度θが４５度以上である周辺部を有しており、
前記光入射側レンズ面に反射防止膜が設けられ、
この反射防止膜は、
角度θが０度である前記光入射側レンズ面の中央部において角度０度で入射する光の反射率を極小とする波長λ２がλ１＜λ２、４２０ｎｍ≦λ２≦６８０ｎｍを満たすよう、厚さが設定されていることを特徴とする。
【００１１】
ここで、光入射側レンズ面に設けられる反射防止膜は、角度θが０度である光入射側レンズ面の中央部において角度０度で入射する光の反射率を極小とする波長λ２が４４０ｎｍ≦λ２≦６５０ｎｍを満たすよう、厚さが設定されているのが好ましい。
なお、レンズ面に回折格子などの段状の構造が設けられている場合には、前記角度θは、レンズ面上のうち、段状部分を除いた一位置における法線と、光軸と、がなす角度である。
【００１２】
請求項１記載の発明によれば、光入射側レンズ面の中央部において角度０度で入射する光の反射率を極小とする波長λ２はλ１＜λ２、４２０ｎｍ≦λ２≦６８０ｎｍを満たすので、光入射側レンズ面の中で大きい面積を占める周辺部における光の反射率が低下する結果、周辺部の方が中央部に比べて光を比較的多く透過させることになり、かつ、従来と比較して周辺部における透過光量と中央部における透過光量とのバランスが改善される。したがって、ビームスポットの小径化と、透過光量の増加とを図ることができる。つまり、波長４００〜４４０ｎｍのレーザー光を用いた光情報記録再生に用いる光学レンズをより高性能化することができ、集光性の良い高ＮＡの光学レンズを提供することができる。
【００１３】
ここで、波長λ２を６８０ｎｍ以下としたのは、波長λ２が６８０ｎｍよりも大きいと、周辺部における透過光量に比べて中央部における透過光量が相対的に少なくなりすぎる結果、ビームスポット形状が崩れ、クロストーク等の問題が生じてしまうためである。
また、波長λ２を４２０ｎｍ以上としたのは、波長λ２が４２０ｎｍよりも小さいと、周辺部における透過光量が大きくならずに、周辺部における透過光量と中央部における透過光量とのバランスが改善されないためである。
【００１４】
なお、請求項１記載の発明において、角度θが５３度以上である部分を光入射側レンズ面が有効径内に有している場合には、角度θがより大きい周辺部を透過する光量を確保することができるので、さらなるスポットの小径化に寄与することができる。
【００１５】
請求項２記載の発明は、請求項１記載の光学レンズにおいて、
前記光入射側レンズ面に設けられる反射防止膜は、角度θが４５度である前記光入射側レンズ面の周辺部において角度０度で入射する光の反射率を極小とする波長λ３が３４０ｎｍ≦λ３≦５６０ｎｍを満たすよう、厚さが設定されていることを特徴とする。
【００１６】
請求項２記載の発明によれば、光入射側レンズ面の周辺部において角度０度で入射する光の反射率を極小とする波長λ３は３４０ｎｍ≦λ３≦５６０ｎｍを満たし、レーザー光源の波長λ１、つまり４００〜４４０ｎｍの範囲内の波長とほぼ同じとなる。このため、角度θが比較的大きい光入射側レンズの周辺部における透過光量が中央部における透過光量に比べて相対的に小さくなりすぎることが抑えられ、周辺部における透過光量と中央部における透過光量とのバランスが、従来と比較して確実に改善される。したがって、確実にビームスポット形状の崩れを防止することができ、バランス良くスポットを小径化することができるとともに、透過光量を確保することができる。
【００１７】
請求項３の発明は、請求項１または２記載の光学レンズにおいて、
光を出射する側の光出射側レンズ面に反射防止膜が設けられ、
この反射防止膜は、
角度θが０度である前記光出射側レンズ面の中央部において角度０度で入射する光の反射率を極小とする波長λ４が４０５ｎｍ≦λ４≦５００ｎｍを満たすよう、厚さが設定されていることを特徴とする。
【００１８】
ここで、光出射側レンズ面に設けられる反射防止膜は、角度θが０度である出射側レンズ面の中央部において角度０度で入射する光の反射率を極小とする波長λ４が４０５ｎｍ≦λ４≦４８０ｎｍを満たすよう、厚さが設定されているのが好ましい。
【００１９】
請求項３記載の発明によれば、光出射側レンズ面の中央部において角度０度で入射する光の反射率を極小とする波長λ４は４０５ｎｍ≦λ４≦５００ｎｍを満たすので、周辺部における透過光量と中央部における透過光量とのバランスがより改善される。したがって、光入射側レンズ面に設けられる反射防止膜と、光出射側レンズ面に設けられる反射防止膜とによって、ビームスポットをより小径化することができるとともに、透過光量を更に増加させることができる。
【００２０】
請求項４の記載の発明は、請求項１〜３の何れか一項に記載の光学レンズにおいて、
前記光入射側レンズ面に設けられる反射防止膜は、角度θが０度である前記光入射側レンズ面の中央部において角度０度で入射する光の反射率を極小とする波長λ２が４８０ｎｍ≦λ２≦５７０ｎｍを満たすよう、厚さが設定されていることを特徴とする。
【００２１】
請求項４記載の発明によれば、角度θが０度である光入射側レンズ面の中央部において角度０度で入射する光の反射率を極小とする波長λ２は４８０ｎｍ≦λ２≦５７０ｎｍを満たすので、周辺部における透過光量と中央部における透過光量とのバランスがより改善される。したがって、ビームスポットをより小径化することができるとともに、透過光量を更に増加させることができる。
なお、レーザー光源の波長範囲は、４００〜４２０ｎｍであることが好ましく、一般的な波長、つまり４０５±５ｎｍであることがより好ましい。この場合には、確実にビームスポットを小径化することができるとともに、透過光量を増加させることができる。
【００２２】
請求項５の記載の発明は、請求項４記載の光学レンズにおいて、
前記光入射側レンズ面に設けられる反射防止膜は、角度θが４５度である前記光入射側レンズ面の周辺部において角度０度で入射する光の反射率を極小とする波長λ３が４００ｎｍ≦λ３≦４８０ｎｍを満たすよう、厚さが設定されていることを特徴とする。
【００２３】
請求項５記載の発明によれば、光入射側レンズ面の周辺部において角度０度で入射する光の反射率を極小とする波長λ３は４００ｎｍ≦λ３≦４８０ｎｍを満たすので、角度θが比較的大きい光入射側レンズ面の周辺部における透過光量が中央部における透過光量に比べて相対的に小さくなりすぎることが、より確実に抑えられる。したがって、より確実にビームスポット形状の崩れを防止することができ、バランス良くスポットを小径化することができるとともに、透過光量を確保することができる。
【００２４】
請求項６記載の発明は、請求項１〜５の何れか一項に記載の光学レンズにおいて、
前記光入射側レンズ面に設けられる反射防止膜は、角度θが０度である前記光入射側レンズ面の中央部において角度０度で入射する波長４０５ｎｍの光の反射率が、角度θが４５度である前記光入射側レンズ面の周辺部において角度０度で入射する波長４０５ｎｍの光の反射率より大きくなるよう、厚さが設定されていることを特徴とする。
【００２５】
請求項６記載の発明によれば、光入射側レンズ面の周辺部において角度０度で入射する波長４０５ｎｍの光の反射率よりも、光入射側レンズ面の中央部において角度０度で入射する波長４０５ｎｍの光の反射率が大きいので、波長４０５ｎｍの光に対して、レンズ中央部の透過率よりレンズ周辺部の透過率が高くなる。従って、波長４００〜４４０ｎｍの範囲内の少なくとも１種類の波長λ１のレーザー光源から出た光に対してレンズ周辺部の透過率をレンズ中央部の透過率よりも確実に高くすることができる。その結果、より確実にビームスポット形状の崩れを防止することができ、バランス良くスポットを小径化することができるとともに、透過光量を確保することができる。
【００２６】
請求項７記載の発明は、４００〜４４０ｎｍの範囲内の少なくとも一種類の波長λ１のレーザー光源から出た光を光記録媒体上に集光することにより、この光記録媒体への情報の記録と、前記光記録媒体に記録された情報の再生と、の少なくとも一方を実行可能な光情報記録再生装置に設けられ、前記光を前記光記録媒体上に集光する光学レンズであって、
レーザー光源から出た光が入射する第１レンズと、この第１レンズを通過した光が入射する第２レンズとから構成され、
レンズ面上の一位置における法線と、光軸と、がなす角度をθとした場合に、前記第１レンズにおいて、前記レーザー光源から出た光が入射する側の第１光入射側レンズ面は、角度θが３０度以上である周辺部を有しており、前記第２レンズにおいて、前記レーザー光源から出た光が入射する側の第２光入射側レンズ面は、角度θが４５度以上である周辺部を有しており、
前記第1光入射側レンズ面に反射防止膜が設けられ、
この反射防止膜は、
角度θが０度である前記第１光入射側レンズ面の中央部において角度０度で入射する光の反射率を極小とする波長λ５がλ１＜λ５、４１０ｎｍ≦λ５≦６００ｎｍを満たすよう、厚さが設定されていることを特徴とする。
【００２７】
ここで、第１レンズの第１光入射側レンズ面に設けられる反射防止膜は、角度θが０度である第１光入射側レンズ面の中央部において角度０度で入射する光の反射率を極小とする波長λ５が４２０ｎｍ≦λ５≦５６０ｎｍを満たすよう、厚さが設定されているのが好ましい。
【００２８】
請求項７記載の発明によれば、第１光入射側レンズ面の中央部において角度０度で入射する光の反射率を極小とする波長λ５はλ１＜λ５、４１０ｎｍ≦λ５≦６００ｎｍを満たすので、第１光入射側レンズ面の中で大きい面積を占める周辺部における光の反射率が低下する結果、周辺部の方が中央部に比べて光を比較的多く透過させることになり、かつ、従来と比較して周辺部における透過光量と中央部における透過光量とのバランスが改善される。したがって、ビームスポットの小径化と、透過光量の増加とを図ることができる。つまり、波長４００〜４４０ｎｍのレーザー光を用いた光情報記録再生に用いる光学レンズをより高性能化することができ、集光性の良い高ＮＡの光学レンズを提供することができる。
【００２９】
ここで、波長λ５を６００ｎｍ以下としたのは、波長λ５が６００ｎｍよりも大きいと、周辺部における透過光量に比べて中央部における透過光量が相対的に少なくなりすぎる結果、ビームスポット形状が崩れ、クロストーク等の問題が生じてしまうためである。
また、波長λ５を４１０ｎｍ以上としたのは、波長λ５が４１０ｎｍよりも小さいと、周辺部における透過光量が大きくならずに、周辺部における透過光量と中央部における透過光量とのバランスが改善されないためである。
【００３０】
請求項８記載の発明は、請求項７記載の光学レンズにおいて、
前記第１レンズにおいて前記第1光入射側レンズ面に設けられる反射防止膜は、角度θが３０度である前記第１光入射側レンズ面の周辺部において角度０度で入射する光の反射率を極小とする波長λ６が３７０ｎｍ≦λ６≦５５０ｎｍを満たすよう、厚さが設定されていることを特徴とする。
【００３１】
請求項８記載の発明によれば、第１光入射側レンズ面の周辺部において角度０度で入射する光の反射率を極小とする波長λ６は３７０ｎｍ≦λ６≦５５０ｎｍを満たし、レーザー光源の波長λ１、つまり４００〜４４０ｎｍの範囲内の波長とほぼ同じとなる。このため、角度θが比較的大きい第１光入射側レンズ面の周辺部における透過光量が中央部における透過光量に比べて相対的に小さくなりすぎるのが抑えられ、周辺部における透過光量と中央部における透過光量とのバランスが、従来と比較して確実に改善される。したがって、確実にビームスポット形状の崩れを防止することができ、バランス良くスポットを小径化することができるとともに、透過光量を確保することができる。
【００３２】
請求項９記載の発明は、請求項７または８記載の光学レンズにおいて、
前記第２レンズにおいて、前記第２光入射側レンズ面に反射防止膜が設けられ、
この反射防止膜は、
角度θが０度である前記第２光入射側レンズ面の中央部において角度０度で入射する光の反射率を極小とする波長λ７がλ１＜λ７、４２０ｎｍ≦λ７≦６００ｎｍを満たすよう、厚さが設定されていることを特徴とする。
【００３３】
ここで、第２レンズの第２光入射側レンズ面に設けられる反射防止膜は、角度θが０度である第２光入射側レンズ面の中央部において角度０度で入射する光の反射率を極小とする波長λ７が４３０ｎｍ≦λ７≦５６０ｎｍを満たすよう、厚さが設定されているのが好ましい。
【００３４】
請求項９記載の発明によれば、第２光入射側レンズ面の中央部において角度０度で入射する光の反射率を極小とする波長λ７は４２０ｎｍ≦λ７≦６００ｎｍを満たすので、第２光入射側レンズ面の中で大きい面積を占める周辺部における光の反射率が低下する結果、周辺部の方が中央部に比べて光を比較的多く透過させることになり、かつ、従来と比較して周辺部における透過光量と中央部における透過光量とのバランスが改善される。したがって、光学レンズ全体において、ビームスポットをより小径化することができるとともに、透過光量を更に増加させることができる。
ここで、波長λ７を６００ｎｍ以下としたのは、波長λ７が６００ｎｍよりも大きいと、中央部における光の透過率が低くなりすぎて、周辺部に比べて中央部を透過する光量が相対的に少なくなりすぎる結果、ビームスポット形状が崩れ、クロストーク等の問題が生じてしまうためである。
また、波長λ７を４２０ｎｍ以上としたのは、波長λ７が４２０ｎｍよりも小さいと、周辺部における透過光量が大きくならずに、周辺部における透過光量と中央部における透過光量とのバランスが改善されないためである。
【００３５】
請求項１０記載の発明は、請求項７〜９の何れか一項に記載の光学レンズにおいて、
前記第２レンズにおいて、前記第２光入射側レンズ面に反射防止膜が設けられ、
この反射防止膜は、角度θが４５度である前記第２光入射側レンズ面の周辺部において角度０度で入射する光の反射率を極小とする波長λ８が３４５ｎｍ≦λ８≦４９０ｎｍを満たすよう、厚さが設定されていることを特徴とする。
【００３６】
請求項１０記載の発明によれば、第２光入射側レンズ面の周辺部において角度０度で入射する光の反射率を極小とする波長λ８は３４５ｎｍ≦λ８≦４９０ｎｍを満たし、レーザー光源の波長λ１、つまり４００〜４４０ｎｍの範囲内の波長とほぼ同じとなる。このため、角度θが比較的大きい第２光入射側レンズ面の周辺部における透過光量が中央部における透過光量に比べて相対的に小さくなりすぎるのが確実に抑えられ、周辺部における透過光量と中央部における透過光量とのバランスが、従来と比較して確実に改善される。したがって、確実にビームスポット形状の崩れを防止することができ、バランス良くスポットを小径化することができるとともに、透過光量を確保することができる。
【００３７】
請求項１１記載の発明は、請求項７〜１０の何れか一項に記載の光学レンズにおいて、
前記第１レンズにおいて、光を出射する側の第１光出射側レンズ面に反射防止膜が設けられ、
この反射防止膜は、
角度θが０度である前記第１光出射側レンズ面の中央部において角度０度で入射する光の反射率を極小とする波長λ９が３８０ｎｍ≦λ９≦５００ｎｍを満たすよう、厚さが設定されており、
前記第２レンズにおいて、光を出射する側の第２光出射側レンズ面に反射防止膜が設けられ、
この反射防止膜は、
角度θが０度である前記第２光出射側レンズ面の中央部において角度０度で入射する光の反射率を極小とする波長λ１０が３８０ｎｍ≦λ１０≦５００ｎｍを満たすよう、厚さが設定されていることを特徴とする。
【００３８】
ここで、第１レンズの第１光出射側レンズ面に設けられる反射防止膜は、角度θが０度である第１光出射側レンズ面の中央部において角度０度で入射する光の反射率を極小とする波長λ９が４００ｎｍ≦λ９≦４８０ｎｍを満たすよう、厚さが設定されているのが好ましい。
また、第２レンズの第２光出射側レンズ面に設けられる反射防止膜は、角度θが０度である第２光出射側レンズ面の中央部において角度０度で入射する光の反射率を極小とする波長λ１０が３９０ｎｍ≦λ１０≦４８０ｎｍを満たすよう、厚さが設定されているのが好ましい。
【００３９】
請求項１１記載の発明によれば、第１光出射側レンズ面、第２光出射側レンズ面の中央部において角度０度で入射する光の反射率を極小とする波長λ９,λ１０は３８０ｎｍ≦λ９≦５００ｎｍ、３８０ｎｍ≦λ１０≦５００ｎｍを満たすので、周辺部における透過光量と中央部における透過光量とのバランスがより改善される。したがって、光入射側レンズ面に設けられる反射防止膜と、光出射側レンズ面に設けられる反射防止膜とによって、ビームスポットをより小径化することができるとともに、透過光量を更に増加させることができる。
【００４０】
請求項１２記載の発明は、請求項７〜１１の何れか一項に記載の光学レンズにおいて、
前記第１レンズにおいて、前記第１光入射側レンズ面に設けられる反射防止膜は、角度θが０度である前記第１光入射側レンズ面の中央部において角度０度で入射する光の反射率を極小とする波長λ５が４２０ｎｍ≦λ５≦４８０ｎｍを満たすよう、厚さが設定されていることを特徴とする。
【００４１】
請求項１２記載の発明によれば、角度θが０度である第１光入射側レンズ面の中央部において角度０度で入射する光の反射率を極小とする波長λ５は４２０ｎｍ≦λ５≦４８０ｎｍを満たすので、周辺部における透過光量と中央部における透過光量とのバランスがより改善される。したがって、ビームスポットをより小径化することができるとともに、透過光量を更に増加させることができる。
なお、レーザー光源の波長範囲は、４００〜４２０ｎｍであることが好ましく、一般的な波長、つまり４０５±５ｎｍであることがより好ましい。この場合には、確実にビームスポットを小径化することができるとともに、透過光量を増加させることができる。
【００４２】
請求項１３記載の発明は、請求項１２記載の光学レンズにおいて、
前記第１レンズにおいて、前記第１光入射側レンズ面に設けられる反射防止膜は、角度θが３０度である前記第１光入射側レンズ面の周辺部において角度０度で入射する光の反射率を極小とする波長λ６が３８０ｎｍ≦λ６≦４４０ｎｍを満たすよう、厚さが設定されていることを特徴とする。
【００４３】
請求項１３記載の発明によれば、第１光入射側レンズ面の周辺部において角度０度で入射する光の反射率を極小とする波長λ６は３８０ｎｍ≦λ６≦４４０ｎｍを満たすので、角度θが比較的大きい第１光入射側レンズ面の周辺部における透過光量が中央部における透過光量に比べて相対的に小さくなりすぎることがより確実に抑えられる。したがって、より確実にビームスポット形状の崩れを防止することができ、バランス良くスポットを小径化することができるとともに、透過光量を確保することができる。
【００４４】
請求項１４記載の発明は、請求項７〜１３の何れか一項に記載の光学レンズにおいて、
前記第１レンズにおいて、前記第１光入射側レンズ面に設けられる反射防止膜は、角度θが０度である前記光入射側レンズ面の中央部において角度０度で入射する波長４０５ｎｍの光の反射率が、角度θが３０度である前記光入射側レンズ面の周辺部において角度０度で入射する波長４０５ｎｍの光の反射率より大きくなるよう、厚さが設定されていることを特徴とする。
【００４５】
請求項１４記載の発明によれば、光入射側レンズ面の周辺部において角度０度で入射する波長４０５ｎｍの光の反射率よりも、光入射側レンズ面の中央部において角度０度で入射する波長４０５ｎｍの光の反射率が大きいので、波長４０５ｎｍの光に対して、レンズ中央部の透過率よりレンズ周辺部の透過率が高くなる。従って、波長４００〜４４０ｎｍの範囲内の少なくとも１種類の波長λ１のレーザー光源から出た光に対してレンズ周辺部の透過率をレンズ中央部の透過率よりも確実に高くすることができる。その結果、より確実にビームスポット形状の崩れを防止することができ、バランス良くスポットを小径化することができるとともに、透過光量を確保することができる。
【００４６】
請求項１５記載の発明は、請求項７〜１４の何れか一項に記載の光学レンズにおいて、
前記第２レンズにおいて、前記第２光入射側レンズ面に反射防止膜が設けられ、
この反射防止膜は、角度θが０度である前記第２光入射側レンズ面の中央部において角度０度で入射する光の反射率を極小とする波長λ７が４３０ｎｍ≦λ７≦４８０ｎｍを満たすよう、厚さが設定されていることを特徴とする。
【００４７】
請求項１５記載の発明によれば、角度θが０度である第２光入射側レンズ面の中央部において角度０度で入射する光の反射率を極小とする波長λ７は４３０ｎｍ≦λ７≦４８０ｎｍを満たすので、周辺部における透過光量と中央部における透過光量とのバランスがより改善される。したがって、ビームスポットをより小径化することができるとともに、透過光量を更に増加させることができる。
なお、レーザー光源の波長範囲は、４００〜４２０ｎｍであることが好ましく、一般的な波長、つまり４０５±５ｎｍであることがより好ましい。この場合には、確実にビームスポットを小径化することができるとともに、透過光量を増加させることができる。
【００４８】
請求項１６記載の発明は、請求項１５記載の光学レンズにおいて、
前記第２レンズにおいて、前記第２光入射側レンズ面に設けられる反射防止膜は、角度θが４５度である前記第２光入射側レンズ面の周辺部において角度０度で入射する光の反射率を極小とする波長λ８が３５７ｎｍ≦λ８≦４００ｎｍを満たすよう、厚さが設定されていることを特徴とする。
【００４９】
請求項１６記載の発明によれば、第２光入射側レンズ面の周辺部において角度０度で入射する光の反射率を極小とする波長λ８は３５７ｎｍ≦λ８≦４００ｎｍを満たすので、角度θが比較的大きい第２光入射側レンズ面の周辺部における透過光量が中央部における透過光量に比べて相対的に小さくなりすぎることが確実に抑えられる。したがって、確実にビームスポット形状の崩れを防止することができ、バランス良くスポットを小径化することができるとともに、透過光量を確保することができる。
【００５０】
請求項１７記載の発明は、請求項７〜１３の何れか一項に記載の光学レンズにおいて、
前記第２レンズにおいて、前記第２光入射側レンズ面に反射防止膜が設けられ、
この反射防止膜は、角度θが０度である前記第２光入射側レンズ面の中央部において角度０度で入射する波長４０５ｎｍの光の反射率が、角度θが４５度である前記第２光入射側レンズ面の周辺部において角度０度で入射する波長４０５ｎｍの光の反射率より大きくなるよう、厚さが設定されていることを特徴とする。
【００５１】
請求項１７記載の発明によれば、第２光入射側レンズ面の周辺部において角度０度で入射する波長４０５ｎｍの光の反射率よりも、第２光入射側レンズ面の中央部において角度０度で入射する波長４０５ｎｍの光の反射率が大きいので、波長４０５ｎｍの光に対して、レンズ中央部の透過率よりレンズ周辺部の透過率が高くなる。従って、波長４００〜４４０ｎｍの範囲内の少なくとも１種類の波長λ１のレーザー光源から出た光に対してレンズ周辺部の透過率をレンズ中央部の透過率よりも確実に高くすることができる。その結果、より確実にビームスポット形状の崩れを防止することができ、バランス良くスポットを小径化することができるとともに、透過光量を確保することができる。
【００５２】
請求項１８記載の発明は、６３０〜６８０ｎｍの範囲内の少なくとも１種類の波長λ１１のレーザー光源から出た光を光記録媒体上に集光することにより、この光記録媒体への情報の記録と、前記光記録媒体に記録された情報の再生と、の少なくとも一方を実行可能な光情報記録再生装置に設けられ、前記光を前記光記録媒体上に集光する光学レンズであって、
レンズ面上の一位置における法線と、光軸と、がなす角度をθとした場合に、前記レーザー光源から出た光が入射する側の光入射側レンズ面は、角度θが４５度以上である周辺部を有しており、
前記光入射側レンズ面に反射防止膜が設けられ、
この反射防止膜は、
角度θが０度である前記光入射側レンズ面の中央部において角度０度で入射する光の反射率を極小とする波長λ１２がλ１１＜λ１２、６８０ｎｍ≦λ１２≦８７０ｎｍを満たすよう、厚さが設定されていることを特徴とする。
【００５３】
ここで、光入射側レンズ面に設けられる反射防止膜は、角度θが０度である光入射側レンズ面の中央部において角度０度で入射する光の反射率を極小とする波長λ１２が７１０ｎｍ≦λ１２≦８５０ｎｍを満たすよう、厚さが設定されているのが好ましい。
【００５４】
請求項１８記載の発明によれば、光入射側レンズ面の中央部において角度０度で入射する光の反射率を極小とする波長λ１２はλ１１＜λ１２、６８０ｎｍ≦λ１２≦８７０ｎｍを満たすので、光入射側レンズ面の中で大きい面積を占める周辺部における光の反射率が低下する結果、周辺部の方が中央部に比べて光を比較的多く透過させることになり、かつ、従来と比較して周辺部における透過光量と中央部における透過光量とのバランスが改善される。したがって、ビームスポットの小径化と、透過光量の増加とを図ることができる。つまり、波長６３０〜６８０ｎｍのレーザー光を用いた光情報記録再生に用いる光学レンズをより高性能化することができ、集光性の良い高ＮＡの光学レンズを提供することができる。
【００５５】
ここで、波長λ１２を８７０ｎｍ以下としたのは、波長λ１２が８７０ｎｍよりも大きいと、周辺部における透過光量に比べて中央部における透過光量が相対的に少なくなりすぎる結果、ビームスポット形状が崩れ、クロストーク等の問題が生じてしまうためである。
また、波長λ１２を６３０ｎｍ以上としたのは、波長λ１２が６３０ｎｍよりも小さいと、周辺部における透過光量が大きくならずに、周辺部における透過光量と中央部における透過光量とのバランスが改善されないためである。
【００５６】
なお、請求項１８記載の発明において、角度θが５３度以上である部分を光入射側レンズ面が有効径内に有している場合には、角度θがより大きい周辺部を透過する光量を確保できるので、さらなるスポットの小径化に寄与することができる。
【００５７】
請求項１９記載の発明は、請求項１８記載の光学レンズにおいて、
光を出射する側の光出射側レンズ面に反射防止膜が設けられ、
この反射防止膜は、
角度θが０度である前記光出射側レンズ面の中央部において角度０度で入射する光の反射率を極小とする波長λ１３が６５０ｎｍ≦λ１３≦８００ｎｍを満たすよう、厚さが設定されていることを特徴とする。
【００５８】
ここで、光出射側レンズ面に設けられる反射防止膜は、角度θが０度である光出射側レンズ面の中央部において角度０度で入射する光の反射率を極小とする波長λ１３が６８０ｎｍ≦λ１３≦７９０ｎｍを満たすよう、厚さが設定されているのが好ましい。
【００５９】
請求項１９記載の発明によれば、光出射側レンズ面の中央部において角度０度で入射する光の反射率を極小とする波長λ１３は６５０ｎｍ≦λ１３≦８００ｎｍを満たすので、周辺部における透過光量と中央部における透過光量とのバランスがより改善される。したがって、光入射側レンズ面に設けられる反射防止膜と、光出射側レンズ面に設けられる反射防止膜とによって、ビームスポットをより小径化することができるとともに、透過光量を更に増加させることができる。
【００６０】
請求項２０記載の発明は、請求項１８または１９記載の光学レンズにおいて、
前記光入射側レンズ面に設けられる反射防止膜は、角度θが４５度である前記光入射側レンズ面の周辺部において角度０度で入射する光の反射率を極小とする波長λ１４が５６０ｎｍ≦λ１４≦７２２ｎｍを満たすよう、厚さが設定されていることを特徴とする。
【００６１】
請求項２０記載の発明によれば、光入射側レンズ面の周辺部において角度０度で入射する光の反射率を極小とする波長λ１４は５６０ｎｍ≦λ１４≦７２２ｎｍを満たし、レーザー光源の波長λ１１、つまり６３０〜６８０ｎｍの範囲内の波長とほぼ同じとなる。このため、角度θが比較的大きい光入射側レンズの周辺部における透過光量が中央部における透過光量に比べて相対的に小さくなりすぎることが抑えられ、周辺部における透過光量と中央部における透過光量とのバランスが、従来と比較して確実に改善される。したがって、確実にビームスポット形状の崩れを防止することができ、バランス良くスポットを小径化することができるとともに、透過光量を確保することができる。
【００６２】
請求項２１記載の発明は、請求項１８〜２０の何れか一項に記載の光学レンズにおいて、
光を出射する側の光出射側レンズ面に反射防止膜が設けられ、
この反射防止膜は、角度θが０度である前記光出射側レンズ面の中央部において角度０度で入射する光の反射率を極小とする波長λ１３が６７０ｎｍ≦λ１３≦８００ｎｍを満たすよう、厚さが設定されており、
前記光入射側レンズ面に設けられる反射防止膜は、角度θが０度である前記光入射側レンズ面の中央部において角度０度で入射する光の反射率を極小とする波長λ１２が７１０ｎｍ≦λ１２≦８５０ｎｍを満たすとともに、角度θが４５度である前記光入射側レンズ面の周辺部において角度０度で入射する光の反射率を極小とする波長λ１４が５８０ｎｍ≦λ１４≦７０５ｎｍを満たすよう、厚さが設定されていることを特徴とする。
【００６３】
請求項２１記載の発明によれば、角度θが０度である光入射側レンズ面の中央部において角度０度で入射する光の反射率を極小とする波長λ１２は７１０ｎｍ≦λ１２≦８５０ｎｍを満たすので、周辺部における透過光量と中央部における透過光量とのバランスがより改善される。
また、光入射側レンズ面の周辺部において角度０度で入射する光の反射率を極小とする波長λ１４は５８０ｎｍ≦λ１４≦７０５ｎｍを満たし、レーザー光源の波長λ１１、つまり６３０〜６８０ｎｍの範囲内の波長とほぼ同じとなるため、角度θが比較的大きい光入射側レンズの周辺部における透過光量が中央部における透過光量に比べて相対的に小さくなりすぎることが確実に抑えられ、周辺部における透過光量と中央部における透過光量とのバランスが、従来と比較して確実に改善される。
更に、光出射側レンズ面の中央部において角度０度で入射する光の反射率を極小とする波長λ１３は６７０ｎｍ≦λ１３≦８００ｎｍを満たすので、周辺部における透過光量と中央部における透過光量とのバランスがより改善される。
以上から、ビームスポットをより小径化することができるとともに、透過光量を更に増加させることができる。
【００６４】
請求項２２記載の発明は、請求項１８〜２１の何れか一項に記載の光学レンズにおいて、
波長６３０〜６８０ｎｍの範囲内の少なくとも一種類の波長λ１１のレーザー光源から出た光と、波長７７０〜７９０ｎｍの範囲内の少なくとも一種類の波長λ１５のレーザー光源から出た光とを、それぞれ光記録媒体上に集光することを特徴とする。
【００６５】
なお、６３０〜６８０ｎｍの範囲内のレーザー光源はＤＶＤの光情報記録再生に用いられるものであり、７７０〜７９０ｎｍの範囲内のレーザー光源はＣＤの光情報記録再生に用いられるものである。
ここで、請求項２２記載の発明においては、光学レンズが、波長６３０〜６７０ｎｍの範囲内の少なくとも一種類の波長λ１１のレーザー光源から出た光と、波長７８０〜７９０ｎｍの範囲内の少なくとも一種類の波長λ１５のレーザー光源から出た光とを、それぞれ光記録媒体上に集光するのが、好ましい。
【００６６】
請求項２２記載の発明によれば、ＤＶＤの光情報記録再生に用いられるレーザー光源から出た光と、ＣＤの光情報記録再生に用いるレーザー光源から出た光とをそれぞれ集光するので、ＤＶＤとＣＤとの光情報記録再生において、スポットの小径化と透過光量との両方の最適化を図ることができる。したがって、ＤＶＤとＣＤとの両方の光情報記録再生に用いる光学レンズを、より高性能化することができる。
【００６７】
請求項２３記載の発明は、請求項１８〜２２の何れか一項に記載の光学レンズにおいて、
光を出射する側の光出射側レンズ面に反射防止膜が設けられ、
この反射防止膜は、角度θが０度である前記光出射側レンズ面の中央部において角度０度で入射する光の反射率を極小とする波長λ１３が７１０ｎｍ≦λ１３≦７９０ｎｍを満たすよう、厚さが設定されており、
前記光入射側レンズ面に設けられる反射防止膜は、角度θが０度である前記光入射側レンズ面の中央部において角度０度で入射する光の反射率を極小とする波長λ１２が７１０ｎｍ≦λ１２≦７９０ｎｍを満たすよう、厚さが設定されていることを特徴とする。
【００６８】
請求項２３記載の発明によれば、角度θが０度である光入射側レンズ面の中央部において角度０度で入射する光の反射率を極小とする波長λ１２は７１０ｎｍ≦λ１２≦７９０ｎｍを満たすので、周辺部における透過光量と中央部における透過光量とのバランスがより改善される。したがって、ビームスポットをより小径化することができるとともに、透過光量を更に増加させることができる。
【００６９】
また、角度θが０度である光出射側レンズ面の中央部において角度０度で入射する光の反射率を極小とする波長λ１３が７１０ｎｍ≦λ１３≦７９０ｎｍを満たすので、周辺部における透過光量と中央部における透過光量とのバランスがより改善される。したがって、光入射側レンズ面に設けられる反射防止膜と、光出射側レンズ面に設けられる反射防止膜とによって、ビームスポットをより小径化することができるとともに、透過光量を更に増加させることができる。
なお、レーザー光源の波長範囲は、６３０〜６５５ｎｍであることが好ましい。
【００７０】
請求項２４の記載の発明は、請求項２３記載の光学レンズにおいて、
前記光入射側レンズ面に設けられる反射防止膜は、角度θが４５度である前記光入射側レンズ面の周辺部において角度０度で入射する光の反射率を極小とする波長λ１４が５９０ｎｍ≦λ１４≦６６０ｎｍを満たすよう、厚さが設定されていることを特徴とする。
【００７１】
請求項２４記載の発明によれば、光入射側レンズ面の周辺部において角度０度で入射する光の反射率を極小とする波長λ１４は５９０ｎｍ≦λ１４≦６６０ｎｍを満たし、レーザー光源の波長λ１１、つまり６３０〜６８０ｎｍの範囲内の波長とほぼ同じとなる。このため、角度θが比較的大きい光入射側レンズの周辺部における透過光量が中央部における透過光量に比べて相対的に小さくなりすぎることが確実に抑えられ、周辺部における透過光量と中央部における透過光量とのバランスが、従来と比較して確実に改善される。したがって、確実にビームスポット形状の崩れを防止することができ、バランス良くスポットを小径化することができるとともに、透過光量を確保することができる。
【００７２】
請求項２５記載の発明は、請求項１８〜２４の何れか一項に記載の光学レンズにおいて、
前記光入射側レンズ面に設けられる反射防止膜は、角度θが０度である前記光入射側レンズ面の中央部において角度０度で入射する波長６５０ｎｍの光の反射率が、角度θが４５度である前記光入射側レンズ面の周辺部において角度０度で入射する波長６５０ｎｍの光の反射率より大きくなるよう、厚さが設定されていることを特徴とする。
【００７３】
請求項２５記載の発明によれば、光入射側レンズ面の周辺部において角度０度で入射する波長６５０ｎｍの光の反射率よりも、光入射側レンズ面の中央部において角度０度で入射する波長６５０ｎｍの光の反射率が大きいので、波長６５０ｎｍの光に対して、レンズ中央部の透過率よりレンズ周辺部の透過率が高くなる。従って、波長６３０〜６８０ｎｍの範囲内の少なくとも１種類の波長λ１のレーザー光源から出た光に対してレンズ周辺部の透過率をレンズ中央部の透過率よりも確実に高くすることができる。その結果、より確実にビームスポット形状の崩れを防止することができ、バランス良くスポットを小径化することができるとともに、透過光量を確保することができる。
【００７４】
請求項２６記載の発明は、請求項１〜２５の何れかの光学レンズにおいて、
前記反射防止膜は、真空蒸着法、スパッタ法、スピン塗布コート法、ディッピング塗布コート法、ＣＶＤ法及び大気圧プラズマ法のうちの何れかによって形成されることを特徴とする。
【００７５】
請求項２６記載の発明によれば、レンズ表面を液体に接触させることなく膜形成することが可能であるため、乾燥ムラ、液たれ、塗布むら等の外観不良の発生を防止することができる。
なお、上記の方法の中では、真空蒸着法、スパッタ法、ＣＶＤ法及び大気圧プラズマ法を用いることが好ましい。この場合には、高い膜厚精度と安定した屈折率を有する製膜が可能である。したがって、レンズ表面に優れた光学性能を有する膜形成を実現することができる。
【００７６】
請求項２７記載の発明は、請求項１〜２６の何れか一項に記載の光学レンズにおいて、
前記反射防止膜は、高屈折率材料、中屈折率材料及び低屈折率材料の少なくとも１種類の材料からなることを特徴とする。
【００７７】
ここで、高屈折率材料としては、酸化セリューム、酸化チタン、酸化タンタル、酸化ジルコニューム、酸化ハフニューム、酸化タングステン、酸化クロム、窒化シリコン、酸素含有窒化シリコン及び炭素含有窒化シリコン等がある。
また、中屈折率材料としては、酸化アルミニューム、酸化イットリュ―ム、弗化鉛及び弗化セリーム等がある。
また、低屈折率材料としては、酸化シリコン、弗化マグネシューム、弗化アルミニューム及び氷晶石等がある。
【００７８】
請求項２７記載の発明によれば、透明性が高く、屈折率が安定した反射防止膜を得ることができる。
なお、上記の材料は、１種類を単独で用いても良いし、複数種類を混合状態または化合物の状態で用いても良い。
【００７９】
請求項２８記載の発明は、請求項２７記載の光学レンズにおいて、
前記低屈折率材料からなる層を少なくとも１層有し、
前記低屈折率材料は、酸化シリコンと、酸化シリコン及び酸化アルミニウムの混合材料との何れか一方であることを特徴とする。
【００８０】
請求項２８記載の発明によれば、低屈折率材料が酸化シリコンと、酸化シリコン及び酸化アルミニウムの混合材料との何れか一方であるので、透明性が高く、屈性率が安定し、耐環境特性、特に耐熱性の高い反射防止膜を得ることができる。
【００８１】
請求項２９記載の発明は、請求項２８記載の光学レンズにおいて、
前記反射防止膜は、前記低屈折率材料からなる層により単層で構成されることを特徴とする。
【００８２】
請求項２９記載の発明によれば、低屈折率材料が酸化シリコンと、酸化シリコン及び酸化アルミニウムの混合材料との何れか一方であり、反射防止膜は低屈折率材料層により単層で構成されるので、反射防止膜が複数層から構成される場合や、反射防止膜が中屈折率材料または高屈折率材料から構成される場合と比較して、反射防止膜の耐久性、例えば耐拭性や耐光性が高い。従って、性能の安定した光学レンズを得ることができる。なお、この反射防止膜は、光出射側のレンズ面に設けられることが好ましい。
【００８３】
ここで、耐拭性とは、例えば、イソプロピルアルコールを含む綿棒によって反射防止膜を総加重約１０〜１５ｇで拭いた場合に、反射防止膜が剥離するまでの拭き回数で評価することができる。この評価法によれば、樹脂製のレンズ上において複数層から構成される反射防止膜は２０〜５０回で反射防止膜の剥離が生じるが、低屈折率材料層のみで構成される反射防止膜は１００回でも剥離を生じず、高い耐拭性を示す。
【００８４】
また、耐光性とは、例えば、波長４０５ｎｍのレーザー光を１５ｍｗ／ｃｍ2の光強度で８０℃に保温された光学レンズの光入射側レンズ面から平行光を照射した場合に、光出射側レンズ面の反射防止膜に変形、例えば剥離や浮き、皺などが生じ始めるまでの連続照射時間で評価することができる。この評価法によれば、樹脂製のレンズ上において複数層から構成される反射防止膜は１６８ｈの連続照射で変形するが、低屈折率材料層のみで構成される反射防止膜は２００ｈまで変形が生じず、高い耐光性を示す。
【００８５】
請求項３０記載の発明は、レーザー光源と、請求項１〜２９の何れか一項に記載の光学レンズと、を備え、
前記レーザー光源から出た光を前記光学レンズによって光記録媒体上に集光することにより、この光記録媒体への情報の記録と、前記光記録媒体に記録された情報の再生と、の少なくとも一方を実行可能であることを特徴とする光情報記録再生装置である。
【００８６】
請求項３０記載の発明によれば、レーザー光源から出た光が前記光学レンズによって光記録媒体上に集光されるので、スポットの小径化と、透過光量の増加とを図ることができる。したがって、従来に比べて、光記録媒体へ情報をより高密度に記録したり、より高密度に情報が記録された光記録媒体から情報を再生したりすることができるため、光記録媒体の大容量化を実現することができる。
【発明の効果】
【００８７】
請求項１記載の発明によれば、光入射側レンズ面の中で大きい面積を占める周辺部における光の反射率が低下する結果、周辺部の方が中央部に比べて光を比較的多く透過させることになり、かつ、従来と比較して周辺部における透過光量と中央部における透過光量とのバランスが改善される。したがって、ビームスポットの小径化と、透過光量の増加とを図ることができる。
【００８８】
請求項２記載の発明によれば、確実にビームスポット形状の崩れを防止することができ、バランス良くスポットを小径化することができるとともに、透過光量を確保することができる。
【００８９】
請求項３記載の発明によれば、光入射側レンズ面に設けられる反射防止膜と、光出射側レンズ面に設けられる反射防止膜とによって、ビームスポットをより小径化することができるとともに、透過光量を更に増加させることができる。
【００９０】
請求項４記載の発明によれば、ビームスポットをより小径化することができるとともに、透過光量を更に増加させることができる。
請求項５，６記載の発明によれば、より確実にビームスポット形状の崩れを防止することができ、バランス良くスポットを小径化することができるとともに、透過光量を確保することができる。
【００９１】
請求項７記載の発明によれば、光入射側レンズ面の中で大きい面積を占める周辺部における光の反射率が低下する結果、周辺部の方が中央部に比べて光を比較的多く透過させることになり、かつ、従来と比較して周辺部における透過光量と中央部における透過光量とのバランスが改善される。したがって、ビームスポットの小径化と、透過光量の増加とを図ることができる。
【００９２】
請求項８記載の発明によれば、確実にビームスポット形状の崩れを防止することができ、バランス良くスポットを小径化することができるとともに、透過光量を確保することができる。
【００９３】
請求項９記載の発明によれば、光学レンズ全体において、ビームスポットをより小径化することができるとともに、透過光量を増加させることができる。
【００９４】
請求項１０記載の発明によれば、確実にビームスポット形状の崩れを防止することができ、バランス良くスポットを小径化することができるとともに、透過光量を確保することができる。
【００９５】
請求項１１記載の発明によれば、光入射側レンズ面に設けられる反射防止膜と、光出射側レンズ面に設けられる反射防止膜とによって、ビームスポットをより小径化することができるとともに、透過光量を更に増加させることができる。
【００９６】
請求項１２記載の発明によれば、ビームスポットをより小径化することができるとともに、透過光量を更に増加させることができる。
請求項１３，１４記載の発明によれば、ビームスポット形状の崩れを防止することができ、バランス良くスポットを小径化することができるとともに、透過光量を確保することができる。
請求項１５記載の発明によれば、ビームスポットをより小径化することができるとともに、透過光量を更に増加させることができる。
請求項１６，１７記載の発明によれば、確実にビームスポット形状の崩れを防止することができ、バランス良くスポットを小径化することができるとともに、透過光量を確保することができる。
【００９７】
請求項１８記載の発明によれば、光入射側レンズ面の中で大きい面積を占める周辺部における光の反射率が低下する結果、周辺部の方が中央部に比べて光を比較的多く透過させることになり、かつ、従来と比較して周辺部における透過光量と中央部における透過光量とのバランスが改善される。したがって、ビームスポットの小径化と、透過光量の増加とを図ることができる。
【００９８】
請求項１９記載の発明によれば、光入射側レンズ面に設けられる反射防止膜と、光出射側レンズ面に設けられる反射防止膜とによって、ビームスポットをより小径化することができるとともに、透過光量を更に増加させることができる。
【００９９】
請求項２０記載の発明によれば、確実にビームスポット形状の崩れを防止することができ、バランス良くスポットを小径化することができるとともに、透過光量を確保することができる。
【０１００】
請求項２１記載の発明によれば、ビームスポットをより小径化することができるとともに、透過光量を更に増加させることができる。
【０１０１】
請求項２２記載の発明によれば、ＤＶＤとＣＤとのの光情報記録再生において、スポットの小径化と透過光量との両方の最適化を図ることができる。
【０１０２】
請求項２３記載の発明によれば、ビームスポットをより小径化することができるとともに、透過光量を更に増加させることができる。
請求項２４，２５記載の発明によれば、確実にビームスポット形状の崩れを防止することができ、バランス良くスポットを小径化することができるとともに、透過光量を確保することができる。
請求項２６記載の発明によれば、乾燥ムラ、液たれ、塗布むら等の外観不良の発生を防止することができる。
請求項２７記載の発明によれば、透明性が高く、屈折率が安定した反射防止膜を得ることができる。
【０１０３】
請求項２８記載の発明によれば、透明性が高く、屈性率が安定し、耐環境特性、特に耐熱性の高い反射防止膜を得ることができる。
請求項２９記載の発明によれば、性能の安定した光学レンズを得ることができる。
【０１０４】
請求項３０記載の発明によれば、ビームスポットの小径化と、透過光量の増加を図ることができる。よって、光記録媒体へ情報をより高密度に記録したり、より高密度に情報が記録された光記録媒体から情報を再生したりすることができるため、光記録媒体の大容量化を実現することができる。
【発明を実施するための最良の形態】
【０１０５】
以下、この発明の実施の形態について、図面を参照しながら説明する。
【０１０６】
〔第１の実施の形態〕
本発明の光学レンズの第１の実施の形態例としてのレンズ１（図１に図示）は、光記録媒体への情報の記録や、光記録媒体に記録された情報の再生を実行可能な光ピックアップ装置（光情報記録再生装置）の対物レンズとして用いられるものである。
【０１０７】
図３に示す光ピックアップ装置１０は、ＤＶＤ（デジタル バーサタイル ディスク）とＣＤ（コンパクト ディスク）の二種類の光記録媒体に適用可能な構成とされており、６３０〜６８０ｎｍ範囲内の波長λ１１の光を出射する半導体レーザーと、７７０〜７９０ｎｍ範囲内の波長λ１５の光を出射する半導体レーザーとを備えてなる半導体レーザー光源１１、コリメータレンズ１２、偏光ビームスプリッタ１３、１／４波長板１４、対物レンズ１５（上述のレンズ１と同様のレンズ）、凸レンズ１６、光検出器１７を備えて構成されている。レンズ１（対物レンズ１５）は、レンズ面（光入射側レンズ面）Ｓ１とレンズ面（光出射側レンズ面）Ｓ２とのうち、曲率の大きい方のレンズ面Ｓ１を半導体レーザー光源１１側に向けて、光ピックアップ装置１０内に組み込まれている。
【０１０８】
半導体レーザー光源１１から出射された波長λ１１,λ１５のレーザー光は、コリメータレンズ１２により平行光に変換され、偏光ビームスプリッタ１３によりＰ成分の光のみが透過されて、直線偏光（Ｐ偏光）に変換される。
Ｐ偏光は、１／４波長板１４により右回りの円偏光に変換され、レンズ面Ｓ１側から対物レンズ１５（レンズ１）に入射して、レンズ面Ｓ２側から出射し、光記録媒体Ｒ（ＤＶＤまたはＣＤ）の情報記録面Ａに集光される。
光記録媒体Ｒの情報記録面Ａで反射された円偏光は、回転方向が逆（左回り）の円偏光に変換され、再び対物レンズ１５を通過して、１／４波長板１４によりＳ成分のみの直線偏光（Ｓ偏光）に変換される。
Ｓ偏光は、偏光ビームスプリッタ１３により全反射され、凸レンズ１６により光検出器１７に集光される。
【０１０９】
光ピックアップ装置１０においては、光検出器１７によって戻り光量を検出することにより、光記録媒体Ｒの情報記録面Ａに記録された情報を読み出して、情報の再生を行えるようになっている。また、光記録媒体Ｒの情報記録面Ａの上面に、例えば染料層などを設けた構成では、対物レンズ１５により高エネルギーのレーザー光を集光して、情報記録面Ａに情報を記録することができるようになっている。
【０１１０】
図１に示すように、レンズ１は、基材２と、レンズ面Ｓ１，Ｓ２にそれぞれ設けられる反射防止コート（反射防止膜）３，４と、を備えて構成されている。
レンズ面Ｓ１の周辺部Ｐ１には、レンズ面上の一位置における法線と、光軸Ｌと、がなす角度θ（図示略）が、４５度以上である面が含まれている。
【０１１１】
基材２は、例えば、プラスチック材料や、硝子材料や、これらの複合体などにより構成されている。前記プラスチック材料は、具体的には、例えば、アクリル樹脂、ポリカーボネート樹脂、ポリオレフィン系樹脂（日本ゼオン社製のゼオネックス樹脂等）、環状オレフィンコポリマー樹脂などの透明な樹脂材料からなるものである。また、前記硝子材料としては、従来より周知の光学用硝子が用いられる。
基材２は、プラスチック材料の射出成形や、硝子モールド成形、研磨加工、切削加工等によりレンズ形状に加工して、作製される。
【０１１２】
なお、図１では図示しないが、基材２と反射防止コート３，４との間に、下引き層などの表面処理層が設けられている構成としても良い。下引き層としては、厚さ数ｎｍから数１０μｍの酸化シリコンからなる層や、紫外線硬化樹脂または熱硬化樹脂からなる層がある。この下引き層によれば、反射防止コートの膜付向上や、耐擦性向上を実現することが可能である。
また、反射防止コート３，４の外側の面、つまり基材２と反対側の面には、保護層が設けられる構成としても良い。保護層としては、例えば、シリコン、又はフッ素を含有した発水性の層がある。この発水性の保護層によれば、汚れ付着を防止することができる。
【０１１３】
反射防止コート３，４は、例えば上記特許文献１に開示の技術によって積層状に製膜されることが好ましいが、真空蒸着法や、スパッタ法、ＣＶＤ法、大気圧プラズマ法（特開２００１−１００００８号公報、特開２０００−１４７２０９号公報）などの従来より周知の製膜方法により製膜されても良い。反射防止コート３，４は、低屈折率材料からなる単層で構成されるか、或いは、図２に示すように、基材２上に設けられる第１層５と、第１層５上に設けられる第２層６と、を備えた２層で構成されている。２層構成の場合には、第１層５は、第２層６の材料に比べて屈折率の高い材料で構成されている。
具体的には、第１層５を構成する高屈折率材料としては、例えば、酸化セリウム、酸化チタン、酸化タンタル、酸化ジルコニューム、酸化アルミニューム、窒化シリコン、酸素含有窒化シリコンなどが挙げられ、中屈折率材料としては、例えば、酸化アルミニュームや酸化イットリューム、弗化鉛、弗化セリウムなどが挙げられる。また、第２層６を構成する低屈折率材料としては、例えば、酸化シリコン、フッ化マグネシューム、弗化アルミニューム、氷晶石などが挙げられる。これら各種の低屈折率材料は、単層構成の反射防止コートにも用いられ、特に波長４００〜４４０ｎｍの光を透過するレンズの光出射側レンズ面に用いられる。低屈折率材料からなる単層構成の反射防止コートは、複数層から構成される反射防止コートと比較して、耐拭性、耐光性（波長４０５ｎｍの光照射に対する反射防止コートの剥がれ度合い）が良く、耐久性が高いため、光出射側レンズ面に用いると、性能の安定したレンズが得られる。
ここで、第１層５、第２層６は、上述の高屈折率材料、中屈折率材料及び低屈折率材料のうちの一種類から構成されていても良いし、複数の種類の材料を混合して構成されていても良い。混合して構成される材料としては、酸化シリコン及び酸化アルミニウムの混合材料（例えば、メルク（株）社製の「サブスタンスＬ５」）等があり、この混合材料は低屈折率材料として用いることができる。
【０１１４】
図１に示すレンズ１においては、レンズ面Ｓ１において、中央部Ｃ１から周辺部Ｐ１に向かうにつれて、反射防止コート３の膜厚が薄くなるよう形成されている。また、レンズ面Ｓ２において、中央部Ｃ２から周辺部Ｐ２に向かうにつれて、反射防止コート４の膜厚が薄くなるよう形成されている。従って、基材２のレンズ面Ｓ１，Ｓ２の形状は、反射防止コート４の成膜に起因して生じる形状変化の変化量を予め補正して決定する必要がある。
【０１１５】
反射防止コート３は、角度θが０度であるレンズ面Ｓ１の中央部Ｃ１において角度０度で入射する波長６５０ｎｍの光の反射率が、角度θが４５度であるレンズ面Ｓ１の周辺部Ｐ１において角度０度で入射する波長６５０ｎｍの光の反射率より大きくなるように厚さが設定されている。
【０１１６】
また、反射防止コート３は、前記角度θが０度であるレンズ面Ｓ１の中央部Ｃ１において角度０度で入射する光の反射率を極小とする波長λ１２がλ１１＜λ１２、６８０ｎｍ≦λ１２≦８７０ｎｍを満たすよう、厚さが設定されている。なお、この波長λ１２が７１０ｎｍ≦λ１２≦８５０ｎｍを満たすよう、反射防止コート３の膜厚が設定されていれば、より好ましい。
【０１１７】
また、反射防止コート４は、前記角度θが０度であるレンズ面Ｓ２の中央部Ｃ２において角度０度で入射する光の反射率を極小とする波長λ１３が６５０ｎｍ≦λ１３≦８００ｎｍを満たすよう、厚さが設定されている。なお、この波長λ１３が６８０ｎｍ≦λ１３≦７９０ｎｍを満たすよう、反射防止コート４の膜厚が設定されていれば、より好ましい。
【０１１８】
また、反射防止コート３は、前記角度θが４５度であるレンズ面Ｓ１の周辺部Ｐ１において角度０度で、つまりレンズ面Ｓ１に垂直に入射する光の反射率を極小とする波長λ１４が５６０ｎｍ≦λ１４≦７２２ｎｍを満たすよう、厚さが設定されている。なお、この波長λ１４が５８０ｎｍ≦λ１４≦７０５ｎｍを満たすよう、反射防止コート３の膜厚が設定されていれば、より好ましい。
【０１１９】
ここで、光ピックアップ装置１０の半導体レーザー光源１１が備える半導体レーザーの波長λ１１が６５０〜６７０ｎｍの範囲内の少なくとも一種類である場合には、反射防止コート３は、前記角度θが０度であるレンズ面Ｓ１の中央部Ｃ１において角度０度で入射する光の反射率を極小とする波長λ１２が７００ｎｍ≦λ１２≦８５０ｎｍを満たすよう、厚さが設定されているのが好ましい。また、反射防止コート３は、前記角度θが４５度であるレンズ面Ｓ１の周辺部Ｐ１において角度０度で入射する光の反射率を極小とする波長λ１４が５８０ｎｍ≦λ１４≦７０５ｎｍを満たすよう、厚さが設定されているのが好ましい。また、反射防止コート４は、前記角度θが０度であるレンズ面Ｓ２の中央部Ｃ２において角度０度で入射する光の反射率を極小とする波長λ１３が６７０ｎｍ≦λ１３≦８００ｎｍを満たすよう、厚さが設定されているのが好ましい。
【０１２０】
以上のように、第１の実施の形態例のレンズ１では、レンズ面Ｓ１の中央部Ｃ１において光の反射率を極小とする波長λ１２は、６３０〜６８０ｎｍのレーザー光源の波長λ１１より長波長となる。
また、周辺部Ｐ１では、光の入射角度が中央部Ｃ１に比べて大きいため、周辺部Ｐ１において光の反射率を極小とする波長λ１４は、中央部Ｃ１において光の反射率を極小とする波長λ１２よりも短波長となる。
このため、周辺部Ｐ１の方が中央部Ｃ１に比べて波長６３０〜６８０ｎｍの範囲の半導体レーザーから出た光を、相対的により多く透過させることになるので、波長６３０〜６８０ｎｍのレーザー光を用いるＤＶＤの光情報記録再生において、ビームスポット形状の小径化と、透過光量の増加とを図ることができる。
【０１２１】
一方、仮に、中央部Ｃ１において光の反射率を極小とする波長λ１２が８７０ｎｍよりも大きいと、中央部Ｃ１における光の透過率が低くなりすぎて、周辺部Ｐ１に比べて中央部Ｃ１を透過する光量が相対的に少なくなりすぎてしまう。このため、ビームスポット形状が崩れ、クロストーク等の問題が生じてしまう。
これに対し、第１の実施の形態のレンズ１では、中央部Ｃ１において光の反射率を極小とする波長λ１２は８７０ｎｍ以下であるので、中央部Ｃ１を透過する光量が少なくなりすぎるのを抑えられる。よって、ビームスポット形状の崩れを防止することができ、バランス良くスポット形状を小径化することができるとともに、透過光量を確保することができる。
【０１２２】
また、レンズ面Ｓ２の中央部Ｃ２において光の反射率を極小とする波長λ１３は６５０ｎｍ≦λ１３≦８００ｎｍを満たすので、周辺部Ｐ２における透過光量と中央部Ｃ２における透過光量とのバランスがより改善される。したがって、確実にビームスポットを小径化し、かつ透過光量を増加させることができる。
【０１２３】
また、角度θが０度である中央部Ｃ１，Ｃ２や、角度θが４５度以上である周辺部Ｐ１における反射防止コート３，４に対して、角度０度で入射する光の反射率を極小とする波長λ１２が、上述したそれぞれの各所定波長範囲内となるよう、反射防止コート３，４の膜厚が設定されている場合には、ビームスポット形状の小径化と、光の透過光量の増加とを、よりバランス良く行うことができる。
【０１２４】
また、反射防止コート３が、レンズ面Ｓ１の中央部Ｃ１において角度０度で入射する光の反射率を極小とする波長λ１２が６８０ｎｍ≦λ１２≦８７０ｎｍを満たすよう、厚さが設定されていることにより、波長７７０〜７９０ｎｍのレーザー光を用いるＣＤの光情報記録再生において、好ましいビームスポット形状と透過光量とを得ることができる。
更に、レンズ面Ｓ１の中央部Ｃ１において角度０度で入射する光の反射率を極小とする波長λ１２が７１０ｎｍ≦λ１２≦７９０ｎｍを満たし、レンズ面Ｓ２の中央部Ｃ２において角度０度で入射する光の反射率を極小とする波長λ１３が７１０ｎｍ≦λ１３≦７９０ｎｍを満たすよう、反射防止膜３，４の厚さを設定することにより、好ましいビームスポット形状と透過光量とを安定して得ることができる。
またこの時、光入射側レンズ面Ｓ１に設けられる反射防止膜３は、角度θが４５度であるレンズ面Ｓ１の周辺部Ｐ１において、角度０度で入射する光の反射率を極小とする波長λ１４が５９０ｎｍ≦λ１４≦６６０ｎｍを満たすよう、厚さが設定されている。したがって、ＤＶＤとＣＤとの両方の光記録媒体Ｒの光情報記録再生を行う光ピックアップ装置１０において、ＤＶＤとＣＤとの記録・再生を良好に行うことができる。
【０１２５】
また、より曲率の大きいレンズ面Ｓ１の周辺部Ｐ１には、角度θが４５度である面が含まれている。したがって、角度θが比較的大きいレンズ面を有する高ＮＡの光学レンズにおいて、より集光性を向上することができ、光記録媒体の大容量化の実現に寄与することができる。
【０１２６】
また、角度θが４５度であるレンズ面Ｓ１の周辺部Ｐ１において角度０度で入射する波長６５０ｎｍの光の反射率よりも、角度θが０度であるレンズ面Ｓ１の中央部Ｃ１において角度０度で入射する波長６５０ｎｍの光の反射率が大きくなるように厚さが設定されていることにより、波長６３０〜６８０ｎｍの範囲内の少なくとも１種類の波長λ１１のレーザー光源から出た光に対してレンズ周辺部の透過率をレンズ中央部の透過率より確実に高くすることができる。従って、より確実にビームスポット形状の崩れを防止することができ、バランス良くスポットを小径化することができるとともに、透過光量を実用上必要な量に確保することができる。
【０１２７】
また、レンズ１を備える光ピックアップ装置１０によれば、半導体レーザー光源１１から出た光が、上述のレンズ１によって光記録媒体上に集光されるので、ビームスポットの小径化と、透過光量の増加とを図ることができる。したがって、従来に比べて、光記録媒体へ情報をより高密度に記録したり、より高密度に情報が記録された光記録媒体から情報を再生したりすることができるため、光記録媒体の大容量化を実現することができる。
【０１２８】
なお、第１の実施の形態においては、反射防止コート３，４が第１層５と第２層６を備えて構成されているものとしたが、光の反射率を低く抑えて反射防止膜としての性能を有していれば良く、特に上述の構成に限定されるものではない。
【０１２９】
また、レンズ面Ｓ１の周辺部Ｐ１は角度θが４５度以上である部分を有効径内に有するものとしたが、さらに、角度θが５３度以上である部分を有する構成とすれば、周辺部Ｐ１での光の透過光量を増加することができ、よりバランス良く、ビームスポット形状の小径化と、光の透過光量の増加とを図ることができる。
【０１３０】
また、光ピックアップ装置１０は、ＤＶＤとＣＤとの両方に適用することができるものとしたが、これに限らず、例えば、波長６３０〜６８０ｎｍの範囲内の半導体レーザーのみを備えるＤＶＤ専用の光ピックアップ装置であっても良い。また、光ピックアップ装置１０は、情報の記録や再生を実行可能であるものとしたが、これに限らず、情報の記録と再生のいずれか一方を実行可能な光ピックアップ装置に、本発明のレンズを適用することができるのは勿論である。
【０１３１】
〔第２の実施の形態〕
本発明の光学レンズの第２の実施の形態例としてのレンズは、第１の実施の形態のレンズ１と同様に、光ピックアップ装置の対物レンズとして用いられるものである。ここで、第２の実施の形態例のレンズが適用される光ピックアップ装置は、上述の光ピックアップ装置１０の半導体レーザー光源１１が、４００〜４４０ｎｍ範囲内の波長λ１の光を出射する半導体レーザーを備えてなる点を除いては、光ピックアップ装置１０とほぼ同様の構成である。
【０１３２】
第２の実施の形態例のレンズは、後述する点を除いては、上述の第１の実施の形態例のレンズ１とほぼ同様の構成であるので、レンズ１と異なる点についてのみ、詳細に説明する。
第２の実施の形態例のレンズのレンズ面Ｓ１の周辺部Ｐ１には、前記角度θが４５度以上である面が含まれている。
【０１３３】
また、レンズ面Ｓ１に設けられる反射防止コート３は、角度θが４５度であるレンズ面Ｓ１の周辺部Ｐ１において角度０度で入射する波長４０５ｎｍの光の反射率よりも、角度θが０度であるレンズ面Ｓ１の中央部Ｃ１において角度０度で入射する波長４０５ｎｍの光の反射率が大きくなるように厚さが設定されている。
【０１３４】
また、反射防止コート３は、前記角度θが０度であるレンズ面Ｓ１の中央部Ｃ１において角度０度で入射する光の反射率を極小とする波長λ２がλ１＜λ２、４２０ｎｍ≦λ２≦６８０ｎｍを満たすよう、厚さが設定されている。なお、前記波長λ２が４４０ｎｍ≦λ２≦６５０ｎｍを満たすよう、反射防止コート３の膜厚が設定されていれば、より好ましい。
【０１３５】
ここで、反射防止コート３は、前記角度θが４５度であるレンズ面Ｓ１の周辺部Ｐ１において角度０度で入射する光の反射率を極小とする波長λ３が３４０ｎｍ≦λ３≦５６０ｎｍを満たすよう、厚さが設定されているのが好ましい。
【０１３６】
また、レンズ面Ｓ２に設けられる反射防止コート４は、前記角度θが０度であるレンズ面Ｓ２の中央部Ｃ２において角度０度で入射する光の反射率を極小とする波長λ４が４０５ｎｍ≦λ４≦５００ｎｍを満たすよう、厚さが設定されている。なお、前記波長λ４が４１０ｎｍ≦λ４≦４８０ｎｍの範囲内となるよう、反射防止コート４の膜厚が設定されていれば、より好ましい。
【０１３７】
以上のように、第２の実施の形態例のレンズでは、レンズ面Ｓ１の中央部Ｃ１において光の反射率を極小とする波長λ２は、レーザー光源の波長λ１よりも長波長となる。したがって、レンズ面Ｓ１において、周辺部Ｐ１の方が中央部Ｃ１に比べて光を比較的多く透過させることになるので、ビームスポット形状の小径化と、透過光量の増加とを図ることができる。よって、波長４００〜４４０ｎｍのレーザー光を用いた光情報記録再生に用いる光学レンズをより高性能化することができる。
【０１３８】
一方、仮に、中央部Ｃ１において光の反射率を極小とする波長λ２が６８０ｎｍよりも大きいと、中央部Ｃ１における光の透過率が低くなり、周辺部Ｐ１に比べて中央部Ｃ１を透過する光量が相対的に少なくなりすぎてしまう。
これに対し、第２の実施の形態のレンズでは、中央部Ｃ１において光の反射率を極小とする波長λ２は６８０ｎｍ以下であるので、中央部Ｃ１を透過する光量が少なくなりすぎるのを抑えられる。よって、ビームスポット形状の崩れを防止することができ、バランス良くスポット形状を小径化することができるとともに、透過光量を確保することができる。
【０１３９】
また、レンズ面Ｓ２の中央部Ｃ２において光の反射率を極小とする波長λ４は４０５ｎｍ≦λ４≦５００ｎｍを満たすので、周辺部Ｐ１における透過光量と中央部Ｃ１における透過光量とのバランスがより改善される。したがって、確実にビームスポットを小径化し、透過光量を増加させることができる。
更に、レンズ面Ｓ１の中央部Ｃ１において角度０度で入射する光の反射率を極小とする波長λ２が４８０ｎｍ≦λ２≦５７０ｎｍを満たし、レンズ面Ｓ２の中央部Ｃ２において角度０度で入射する光の反射率を極小とする波長λ４が４０５ｎｍ≦λ４≦５００ｎｍを満たすよう、反射防止膜３，４の厚さを設定することにより、好ましいビームスポット形状と透過光量とを安定して得ることができる。
またこの時、光入射側レンズ面Ｓ１に設けられる反射防止膜３は、角度θが４５度であるレンズ面Ｓ１の周辺部Ｐ１において、角度０度で入射する光の反射率を極小とする波長λ３が４００ｎｍ≦λ３≦４８０ｎｍを満たすよう、厚さが設定されている。
【０１４０】
また、角度θが４５度であるレンズ面Ｓ１の周辺部Ｐ１において角度０度で入射する波長４０５ｎｍの光の反射率よりも、角度θが０度であるレンズ面Ｓ１の中央部Ｃ１において角度０度で入射する波長４０５ｎｍの光の反射率が大きくなるように厚さが設定されていることにより、波長４００〜４４０ｎｍの範囲内の少なくとも１種類の波長λ１のレーザー光源から出た光に対してレンズ周辺部Ｐ１の透過率をレンズ中央部Ｃ１の透過率より確実に高くすることができる。従って、より確実にビームスポット形状の崩れを防止することができ、バランス良くスポットを小径化することができるとともに、透過光量を実用上必要な量に確保することができる。
【０１４１】
〔第３の実施の形態〕
本発明の光学レンズの第３の実施の形態例としてのレンズ７（図４に図示）は、第２の実施の形態のレンズと同様に、光ピックアップ装置の対物レンズとして用いられるものである。ここで、第３の実施の形態例のレンズが適用される光ピックアップ装置は、第２の実施の形態例のレンズが適用される上述の光ピックアップ装置とほぼ同様の構成である。
【０１４２】
図４に示すように、レンズ７は、第１レンズ７ａと第２レンズ７ｂとを備えて構成される二枚構成のレンズである。レンズ７は、第１レンズ７ａを光ピックアップ装置の半導体レーザー光源１１側に向けて、光ピックアップ装置内に組み込まれている。
【０１４３】
第１レンズ７ａの二つのレンズ面Ｓ１ａ，Ｓ２ａのうち、半導体レーザー光源１１側となる方のレンズ面（第１光入射側レンズ面）Ｓ１ａには、前記角度θが０度（中央部Ｃ１ａ）から３０度（周辺近傍部Ｐ１ａ）の面が含まれている。また、第２レンズ７ｂ側となる方のレンズ面（第１光出射側レンズ面）Ｓ２ａには、前記角度θが０度（中央部Ｃ２ａ）から１０度以下（周辺近傍部Ｐ２ａ）の面が含まれている。
【０１４４】
また、第２レンズ７ｂの二つのレンズ面Ｓ１ｂ，Ｓ２ｂのうち、第１レンズ７ａ側となる方のレンズ面（第２光入射側レンズ面）Ｓ１ｂには、前記角度θが０度（中央部Ｃ１ｂ）から５０度以上（周辺部Ｐ１ｂ）の面が含まれている。また、光記録媒体Ｒ側となる方のレンズ面（第２光出射側レンズ面）Ｓ２ｂには、前記角度θが０度（中央部Ｃ２ｂ）から１０度（周辺部Ｐ２ｂ）の面が含まれている。
【０１４５】
第１レンズ７ａと第２レンズ７ｂとは、上述のレンズ１と同様に、基材と、それぞれのレンズ面Ｓ１ａ，Ｓ２ａ，Ｓ１ｂ，Ｓ２ｂに設けられる反射防止コートと、を備えて構成されている。基材と、反射防止コートとについては、後述する点を除いては、上述の第１の実施の形態例のレンズ１の基材２と反射防止コート３，４とほぼ同様の構成である。
【０１４６】
レンズ面Ｓ１ａに設けられる反射防止コートは、角度θが３０度であるレンズ面Ｓ１ａの周辺部Ｐ１ａにおいて角度０度で入射する波長４０５ｎｍの光の反射率よりも、角度θが０度であるレンズ面Ｓ１ａの中央部Ｃ１ａにおいて角度０度で入射する波長４０５ｎｍの光の反射率が大きくなるように厚さが設定されている。
【０１４７】
また、この反射防止コートは、前記角度θが０度であるレンズ面Ｓ１ａの中央部Ｃ１ａにおいて角度０度で入射する光の反射率を極小とする波長λ５がλ１＜λ５、４１０ｎｍ≦λ５≦６００ｎｍを満たすよう、厚さが設定されている。なお、前記波長λ５が４２０ｎｍ≦λ５≦５６０ｎｍを満たすよう、前記反射防止コートの膜厚が設定されているのが好ましい。
ここで、レンズ面Ｓ１aに設けられる反射防止コートは、角度θが３０度であるレンズ面Ｓ１ａの周辺部において角度０度で入射する光の反射率を極小とする波長λ６が３７０ｎｍ≦λ６≦５５０ｎｍを満たすよう、厚さが設定されていることが好ましい。
【０１４８】
レンズ面Ｓ１ｂに設けられる反射防止コートは、角度θが４５度であるレンズ面Ｓ１ｂの周辺部Ｐ１ｂにおいて角度０度で入射する波長４０５ｎｍの光の反射率よりも、角度θが０度であるレンズ面Ｓ１ｂの中央部Ｃ１ｂにおいて角度０度で入射する波長４０５ｎｍの光の反射率が大きくなるように厚さが設定されている。
【０１４９】
また、この反射防止コートは、前記角度θが０度であるレンズ面Ｓ１ｂの中央部Ｃ１ｂにおいて角度０度で入射する光の反射率を極小とする波長λ７がλ１＜λ７、４２０ｎｍ≦λ７≦６００ｎｍを満たすよう、厚さが設定されている。なお、前記波長λ７が４４０ｎｍ≦λ７≦５６０ｎｍを満たすよう、前記反射防止コートの膜厚が設定されているのが好ましい。
【０１５０】
ここで、レンズ面Ｓ１ｂに設けられる反射防止コートは、前記角度θが４５度であるレンズ面Ｓ１ｂの周辺部Ｐ１ｂにおいて角度０度で入射する光の反射率を極小とする波長λ８が３４５ｎｍ≦λ８≦４９０ｎｍを満たすよう、厚さが設定されているのが好ましい。
【０１５１】
また、レンズ面Ｓ２ａに設けられる反射防止コートは、前記角度θが０度であるレンズ面Ｓ２ａの中央部Ｃ２ａにおいて角度０度で入射する光の反射率を極小とする波長λ９が３８０ｎｍ≦λ９≦５００ｎｍを満たすよう、厚さが設定されている。なお、前記波長λ９が４００ｎｍ≦λ９≦４８０ｎｍを満たすよう、前記反射防止コートの膜厚が設定されているのが好ましい。
【０１５２】
また、レンズ面Ｓ２ｂに設けられる反射防止コートは、前記角度θが０度であるレンズ面Ｓ２ｂの中央部Ｃ２ｂにおいて角度０度で入射する光の反射率を極小とする波長λ１０が３８０ｎｍ≦λ１０≦５００ｎｍを満たすよう、厚さが設定されている。なお、前記波長λ１０が３９０ｎｍ≦λ１０≦４８０ｎｍを満たすよう、前記反射防止コートの膜厚が設定されているのが好ましい。
【０１５３】
以上のように、第３の実施の形態例のレンズによれば、第１レンズ７ａのレンズ面Ｓ１ａの中央部Ｃ１ａにおいて角度０度で入射する光の反射率を極小とする波長λ５は、レーザー光源の波長λ１より長波長となる。また、第２レンズ７ｂのレンズ面Ｓ１ｂの中央部Ｃ１ｂにおいて角度０度で入射する光の反射率を極小とする波長λ７は、レーザー光源の波長λ１よりも長波長となる。
【０１５４】
したがって、レンズ７全体において、周辺部Ｐ１ａ，Ｐ１ｂの方が中央部Ｃ１ａ，Ｃ１ｂに比べて光を比較的多く透過させることになるので、ビームスポット形状の小径化と、透過光量の増加とを図ることができる。
【０１５５】
一方、仮に、第１レンズ７ａのレンズ面Ｓ１ａの中央部Ｃ１ａにおいて光の反射率を極小とする波長λ５が６００ｎｍよりも大きかったり、第２レンズ７ｂのレンズ面Ｓ１ｂの中央部Ｃ１ｂにおいて光の反射率を極小とする波長λ７が６００ｎｍよりも大きかったりすると、中央部Ｃ１ａ，Ｃ１ｂにおける光の透過率が低くなりすぎて、周辺部Ｐ１ａ，Ｐ１ｂに比べて中央部Ｃ１ａ，Ｃ１ｂを透過する光量が相対的に少なくなりすぎてしまう。
これに対し、中央部Ｃ１ａ，Ｃ１ｂにおいて光の反射率を極小とする波長λ５,λ７の上限が上述のように設定されているので、中央部Ｃ１ａ，Ｃ１ｂを透過する光量が少なくなりすぎるのを抑えられる。よって、ビームスポット形状の崩れを防止することができ、バランス良くスポット形状を小径化することができるとともに、透過光量を確保することができる。
【０１５６】
また、レンズ面Ｓ２ａ，Ｓ２ｂの中央部Ｃ２ａ，Ｃ２ｂにおいて光の反射率を極小とする波長λ５,λ７は、光ピックアップ装置のレーザー光源の波長λ１と同等もしくは、より長波長となる。したがって、レンズ面Ｓ２ａ，Ｓ２ｂにおいて、周辺部Ｐ２ａ，Ｐ２ｂの透過率は中央部Ｃ２ａ，Ｃ２ｂの透過率より極端に少なくなることはなく、同等もしくは、より大きくなる。よって、レンズ面Ｓ１ａ，Ｓ２ａを光が通過するとき、中央部Ｃ１ａ，Ｃ２ａの透過光量よりも周辺部Ｐ１ａ，Ｐ２ａの透過光量の方が比較的多くなる。また、レンズ面Ｓ１ｂ，Ｓ２ｂを光が通過するとき、中央部Ｃ１ｂ，Ｃ２ｂの透過光量よりも周辺部Ｐ１ｂ，Ｐ２ｂの透過光量の方が比較的多くなる。これらの結果、ビームスポットの小径化と、透過光量の増加とに寄与することができる。
に比べて光を比較的多く透過させることになるので、ビームスポットの小径化と、透過光量の増加とに寄与することができる。
【０１５７】
また、角度θが３０度であるレンズ面Ｓ１ａの周辺部Ｐ１ａにおいて角度０度で入射する波長４０５ｎｍの光の反射率よりも、角度θが０度であるレンズ面Ｓ１ａの中央部Ｃ１ａにおいて角度０度で入射する波長４０５ｎｍの光の反射率が大きくなるように厚さが設定されていることにより、波長４００〜４４０ｎｍの範囲内の少なくとも１種類の波長λ１のレーザー光源から出た光に対してレンズ周辺部の透過率をレンズ中央部の透過率より確実に高くすることができる。従って、より確実にビームスポット形状の崩れを防止することができ、バランス良くスポットを小径化することができるとともに、透過光量を実用上必要な量に確保することができる。
【０１５８】
また、角度θが４５度であるレンズ面Ｓ１ｂの周辺部Ｐ１ｂにおいて角度０度で入射する波長４０５ｎｍの光の反射率よりも、角度θが０度であるレンズ面Ｓ１ｂの中央部Ｃ１ｂにおいて角度０度で入射する波長４０５ｎｍの光の反射率が大きくなるように厚さが設定されていることにより、波長４００〜４４０ｎｍの範囲内の少なくとも１種類の波長λ１のレーザー光源から出た光に対してレンズ周辺部の透過率をレンズ中央部の透過率より確実に高くすることができる。従って、より確実にビームスポット形状の崩れを防止することができ、バランス良くスポットを小径化することができるとともに、透過光量を実用上必要な量に確保することができる。
【実施例１】
【０１５９】
以下、本発明を実施例により具体的に説明するが、本発明はこれらに限定されるものではない。
【０１６０】
１．第１の実施の形態例のレンズ
＜レンズの透過率およびスポット形状の評価＞
上述の第１の実施の形態例のレンズ１において、図５に示す層構成の反射防止コートを基材上に設けた場合のレンズ１の光透過率と、この透過率およびビームスポット形状の評価の結果を、図６に示す。ここで、レンズ１としては、開口数が０．６であり、レンズ面Ｓ１に角度θが０〜５３度以上の領域を有する形状のものを用いた。
【０１６１】
なお、図５の「λ」の欄には、垂直（角度０度）で入射・出射する光の反射率を極小とする波長を示している。ここで、反射率の測定には、反射分光膜厚計（ＦＥ−３０００）（大塚電子株式会社製）を用いた。
また、一例として、図５に示すＮｏ．７等の層構成の反射防止コートに角度０度で入射する光の反射率の波長依存性を、図１２に示す。
【０１６２】
また、図６の「λ１２（λ１４）」の欄には、レンズ１のレンズ面Ｓ１に設けられる反射防止コート３において、垂直で入射・出射するレンズ中央部Ｃ１の光の反射率を極小とする波長を示している。なお、括弧内には、角度θが４５度であるレンズ面Ｓ１の周辺部Ｐ１において角度０度で入射する光の反射率を極小とする波長λ１４の値を示している。
また、「λ１３」の欄には、レンズ１のレンズ面Ｓ２に設けられる反射防止コート４において、垂直で入射・出射するレンズ中央部Ｃ２の光の反射率を極小とする波長を示している。
また、図６には、波長６３０〜６７０ｎｍ、７８０〜７９０ｎｍそれぞれの範囲内の光の透過率（最小値〜最大値）を示している。また、図６には、透過率の評価と、ビームスポット形状の評価とを、○印、△印、×印により示している。
【０１６３】
透過率の評価においては、波長６３０〜６７０ｎｍの光の透過率において、常に９６％以上の透過率が得られる膜構成の欄には、実用上非常に良好なレベルであるとして○印を示し、常に９５％以上の透過率が得られるとともに、常には９６％以上の透過率が得られない膜構成の欄には、実用上良好なレベルであるとして△印を示し、それ以外の膜構成の欄には、実用上問題のあるレベルとして×印を示している。また、波長７８０〜７９０ｎｍの光の透過率において、光の透過率が常に９５％以上の値が得られる膜構成の欄には○印を示し、それ以外の膜構成の欄には×印を示している。
【０１６４】
また、ビームスポット形状の評価について、図７を参照して説明する。図７において、縦軸は光量であり、横軸は光軸からの距離を示している。
ビームスポット形状の評価においては、スポット径が比較的小さく、スポット周辺の光量が比較的小さいもの（図７（ａ））については、膜構成の欄に○印を示している。また、スポット径は比較的小さいものの、スポット周辺の光量が比較的大きいもの（図７（ｂ））については、膜構成の欄に×印を示している。また、スポット周辺の光量は比較的小さいものの、スポット径が比較的大きいもの（図７（ｃ））については、膜構成の欄に×印を示している。
【０１６５】
透過率が△レベルで、かつ、スポット形状が○レベルであれば、記録および再生の動作が問題なく行えると判断できる。また、透過率が○レベルで、かつ、スポット形状が○レベルであれば、記録および再生の動作がより安定して良好に行え、より好ましいと判断できる。また、透過率またはスポット形状の少なくとも一方が×レベルであれば、記録及び再生の動作が不安定で問題と判断できる。
【０１６６】
図６から、レンズ１の反射防止コート３，４に適用するのに好ましい層構成を知ることができる。
【０１６７】
すなわち、光ピックアップ装置の半導体レーザー光源のレーザー光の波長が、６３０〜６７０ｎｍの範囲内である場合には、△レベルの透過率かつ○レベルのスポット形状を得るには、レンズ面Ｓ１において、角度θが０度である中央部Ｃ１における反射防止コート３の層構成として、垂直入射・出射する光の反射率を極小とする波長λ１２が６８０〜８７０ｎｍの範囲内である層構成を適用するのが好ましいことがわかる。さらには、○レベルの透過率かつ○レベルのスポット形状を得るには、波長λ１２が７１０〜８５０ｎｍの範囲内である層構成を適用するのが好ましいことがわかる。
このことから、中央部Ｃ１における反射防止コート３の層構成として、図５に示すＮｏ．４〜Ｎｏ．１３を適用するのが好ましく、Ｎｏ．６〜Ｎｏ．１２を適用するのがより好ましいことがわかる。
【０１６８】
また、△レベルの透過率かつ○レベルのスポット形状を得るには、レンズ面Ｓ２において、角度θが０度である中央部Ｃ２における反射防止コート４の層構成として、垂直入射・出射する光の反射率を極小とする波長λ１３が６５０〜８００ｎｍの範囲内である層構成を適用するのが好ましいことがわかる。さらには、○レベルの透過率かつ○レベルのスポット形状を得るには、波長λ１３が６８０〜７９０ｎｍの範囲内である層構成を適用するのがより好ましいことがわかる。
このことから、中央部Ｃ２における反射防止コート４の層構成として、Ｎｏ．２〜Ｎｏ．１０を適用するのが好ましく、Ｎｏ．４〜Ｎｏ．９を適用するのがより好ましいことがわかる。
なお、波長λ１２が６８０〜８７０ｎｍの範囲内である層構成を中央部Ｃ１における反射防止コート３に適用した場合には、角度θが４５度である周辺部Ｐ１において垂直入射・出射する光の反射率を極小とする波長λ１４は、５６０〜７２２ｎｍの範囲内であった。
【０１６９】
更に、図６に示されるように、波長λ１２が７１０〜８５０ｎｍの範囲内である層構成を中央部Ｃ１における反射防止コート３に適用した場合には、角度θが４５度である周辺部Ｐ１において垂直入射・出射する光の反射率を極小とする波長λ１４は５９０〜７０５ｎｍの範囲であった。また、垂直入射する光の反射率の波長依存性は図１２のＮｏ．１０’の曲線と同様であったため、中央部Ｃ１において角度０度で入射する波長６５０ｎｍの光の反射率は、周辺部Ｐ１において角度０度で入射する波長６５０の光の反射率よりも高くなることがわかった。
【０１７０】
さらに、光ピックアップ装置の半導体レーザー光源のレーザー光の波長が、６５０〜６７０ｎｍの範囲内である場合には、△レベルの透過率かつ○レベルのスポット形状を得るには、レンズ面Ｓ１において、角度θが０度である中央部Ｃ１における反射防止コート３の層構成として、垂直入射・出射する光の反射率を極小とする波長λ１２が７１０〜８５０ｎｍの範囲内である層構成を適用するのが好ましいことがわかる。なお、波長λ１２が７１０〜８５０ｎｍの範囲内である層構成を中央部Ｃ１における反射防止コート３に適用した場合には、角度θが４５度である周辺部Ｐ１において垂直入射・出射する光の反射率を極小とする波長λ１４は、５９０〜７０５ｎｍの範囲内であった。
また、レンズ面Ｓ２において、角度θが０度である中央部Ｃ２における反射防止コート４の層構成として、垂直入射・出射する光の反射率を極小とする波長λ１３が６５０〜８００ｎｍの範囲内である層構成を適用するのが好ましいことがわかる。
このことから、中央部Ｃ１における反射防止コート３の層構成として、Ｎｏ．５〜Ｎｏ．１２を適用するのが好ましく、中央部Ｃ２における反射防止コート４の層構成として、Ｎｏ．３〜Ｎｏ．１０を適用するのが好ましいことがわかる。
【０１７１】
また、レンズ１を短波長の６３０〜６７０ｎｍの範囲内のレーザー光と、長波長の７８０〜７９０ｎｍの範囲内のレーザー光とを用いるＤＶＤ・ＣＤ両用の光ピックアップ装置に適用する場合に、短波長の光で△レベルの透過率、好ましくは○レベルの透過率を得、長波長の光で○レベルの透過率を得、かつ○レベルのスポット形状を得るには、レンズ面Ｓ１において、角度θが０度である中央部Ｃ１における反射防止コート３の層構成として、垂直入射・出射する光の反射率を極小とする波長λ１２が６８０〜８７０ｎｍ、より好ましくは７１０〜８５０ｎｍの範囲内である層構成を適用するのが好ましいことがわかる。
また、レンズ面Ｓ２において、角度θが０度である中央部Ｃ２における反射防止コート４の層構成として、垂直入射・出射する光の反射率を極小とする波長λ１３が６５０〜８００ｎｍ、より好ましくは６８０〜７９０ｎｍの範囲内である層構成を適用するのが好ましいことがわかる。
このことから、中央部Ｃ１における反射防止コート３の層構成として、Ｎｏ．４〜Ｎｏ．１３を適用するのが好ましく、中央部Ｃ２における反射防止コート４の層構成として、Ｎｏ．２〜Ｎｏ．１０を適用するのが好ましいことがわかる。
なお、図６に示されるように、波長λ１２が７１０〜８５０ｎｍの範囲内である層構成を中央部Ｃ１における反射防止コート３を適用した場合には、角度θが４５度である周辺部Ｐ１において垂直入射・出射する光の反射率を極小とする波長λ１４は、５９０〜７０５ｎｍの範囲内であった。また、垂直入射する光の反射率の波長依存性は図１２のＮｏ．７の曲線と同様であったため、中央部Ｃ１において角度０度で入射する波長６５０ｎｍの光の反射率は、周辺部Ｐ１において角度０度で入射する波長６５０の光の反射率よりも高くなることがわかった。
【０１７２】
更に、レンズ面Ｓ１に設けられる反射防止コート３の膜厚を、レンズ面Ｓ１の中央部Ｃ１において角度０度で入射する光の反射率を極小とする波長λ１２が７１０〜７９０ｎｍを満たすように設定し、レンズ面Ｓ２に設けられる反射防止コート４の膜厚を、中央部Ｃ２において角度０度で入射する光の反射率を極小とする波長λ１３が７１０〜７９０ｎｍを満たすよう、厚さを設定することにより、ビームスポット形状評価、透過率評価は常に○レベルが維持される。つまり、非常に安定して優れた光学特性を有する光学レンズを得ることができる。またその時、レンズ面Ｓ１に設けられる反射防止膜３は、角度θが４５度であるレンズ面Ｓ１の周辺部Ｐ１において、角度０度で入射する光の反射率が波長５９０〜６６０ｎｍの範囲内に極小値を示していた。
【０１７３】
＜レンズの評価＞
真空蒸着法により、レンズ状に加工された基材２のレンズ面Ｓ１，Ｓ２に、下記表１に示す層構成（各欄に示す層構成の番号は、上記図５に対応）の反射防止コート３，４をそれぞれ形成し、レンズ１を作成した（実施例１〜３、比較例１）。
【０１７４】
【表１】
2005011494.tif 000003
ここで、表１のレーザー光波長の欄には、レンズ１を適用する光ピックアップ装置１０の半導体レーザー光源１１のレーザー光の波長を示している。
また、角度θの欄には、各レンズ面Ｓ１，Ｓ２が有する角度θの範囲を示している。
【０１７５】
実施例１の高ＮＡレンズにおいては、レンズ面Ｓ１に６６０ｎｍの平行光を照射した際、光の透過率は９７％であり、ビームスポット形状は良好であった。
また、実施例２の高ＮＡレンズにおいては、レンズ面Ｓ１に６６０ｎｍの平行光を照射した際、光の透過率は９７％であり、ビームスポット形状は良好であった。以上から、実施例１、２により、高い開口数を有する集光性の良い対物レンズを提供できることがわかる。また、光ピックアップ装置において実施例１、２のレンズを対物レンズとして用いることにより、情報記録の大容量化を実現できることがわかる。
【０１７６】
実施例３の高ＮＡレンズにおいては、レンズ面Ｓ１に６６０ｎｍの平行光を照射した際、光の透過率は９７％であり、ビームスポット形状は良好であった。また、レンズ面Ｓ１に７８５ｎｍの平行光を照射した際、光の透過率は９５．７％であり、ビームスポット形状は良好であった。
以上から、実施例３により、高い開口数を有する集光性の良い対物レンズを提供できることがわかる。また、ＤＶＤ・ＣＤ両用の光ピックアップ装置において実施例３のレンズを対物レンズとして用いることにより、ＤＶＤおよびＣＤの記録の大容量化を実現できることがわかる。
【０１７７】
一方、比較例１のレンズにおいては、レンズ面Ｓ１に７８５ｎｍの平行光を照射した際、光の透過率は９７％であり、ビームスポット形状は良好であった。しかし、レンズ面Ｓ１に６６０ｎｍの平行光を照射した際には、光の透過率は９３．４％であり、ビームスポット形状にはノイズ光が多く含まれていた。したがって、比較例１のレンズは、ＤＶＤ用の光ピックアップ装置の対物レンズとして用いるのには不適であり、また、比較例１のレンズによっては、ＤＶＤの記録の大容量化の実現は困難であることがわかる。
【０１７８】
２．第２の実施の形態例のレンズ
＜レンズの透過率およびスポット形状の評価＞
上述の第２の実施の形態例のレンズにおいて、図８に示す層構成の反射防止コートを基材上に設けた場合のレンズの光透過率と、この透過率およびビームスポット形状の評価の結果を、図９に示す。
ここで、レンズ１としては、レンズ面Ｓ１に角度θが０〜５３度以上の領域を有する形状のレンズを用いた。なお、図８の「λ」の欄には、垂直（角度０度）で入射・出射する光の反射率を極小とする波長を示している。また、反射率の測定には、反射分光膜厚計（ＦＥ−３０００）（大塚電子株式会社製）を用いた。
ここで、一例として、図８に示すＮｏ．１０'等の層構成の反射防止コートに角度０度で入射する光の反射率の波長依存性を、前記図１２に示す。
【０１７９】
また、図９の「λ２（λ３）」の欄には、レンズ１のレンズ面Ｓ１に設けられる反射防止コート３において、垂直で入射・出射するレンズ中央部Ｃ１の光の反射率を極小とする波長を示している。なお、括弧内には、角度θが４５度であるレンズ面Ｓ１の周辺部Ｐ１において角度０度で入射する光の反射率を最小とする波長λ３の値を示している。
また、「λ４」の欄には、レンズ１のレンズ面Ｓ２に設けられる反射防止コート４において、垂直で入射・出射するレンズ中央部Ｃ２の光の反射率を極小とする波長を示している。
また、図９には、波長４００〜４４０ｎｍの範囲内の光の透過率（最小値〜最大値）を示している。また、図９には、透過率の評価と、ビームスポット形状の評価とを、○印、△印、×印により示している。
【０１８０】
透過率の評価においては、波長４００〜４４０ｎｍの光の透過率において、常に９６％以上の透過率が得られる膜構成の欄には、実用上非常に良好なレベルであるとして○印を示し、常に９５％以上の透過率が得られるとともに、常には９６％以上の透過率が得られない膜構成の欄には、実用上良好なレベルであるとして△印を示し、それ以外の膜構成の欄には、実用上問題のあるレベルとして×印を示している。
また、波長４０５ｎｍの光の透過率を括弧内に記した。
【０１８１】
図９から、レンズの反射防止コート３，４に適用するのに好ましい層構成を知ることができる。
【０１８２】
すなわち、光ピックアップ装置の半導体レーザー光源のレーザー光の波長が、４００〜４４０ｎｍの範囲内である場合には、△レベルの透過率かつ○レベルのスポット形状を得るには、レンズ面Ｓ１において、角度θが０度である中央部Ｃ１における反射防止コート３の層構成として、垂直入射・出射する光の反射率を極小とする波長λ２が４２０〜６８０ｎｍの範囲内である層構成を適用するのが好ましいことがわかる。さらには、○レベルの透過率かつ○レベルのスポット形状を得るには、波長λ２が４４０〜６５０ｎｍの範囲内である層構成を適用するのが好ましいことがわかる。
このことから、中央部Ｃ１における反射防止コート３の層構成として、図８に示すＮｏ．７'〜Ｎｏ．１８'を適用するのが好ましく、Ｎｏ．９'〜Ｎｏ．１７'を適用するのがより好ましいことがわかる。なお、図９に示されるように、波長λ２が４２０〜６８０ｎｍの範囲内である層構成を中央部Ｃ１における反射防止コート３に適用した場合には、角度θが４５度である周辺部Ｐ１において垂直入射する光の反射率を極小とする波長λ３は、３４０〜５６０ｎｍの範囲内であった。また、波長λ２が４４０〜６５０ｎｍの範囲内である層構成を中央部Ｃ１における反射防止コート３に適用した場合には、角度θが４５度である周辺部Ｐ１において垂直入射、出射する光の反射率を極小とする波長λ３は３６０〜５４０ｎｍの範囲であった。また、垂直入射する光の反射率の波長依存性は図１２のＮｏ．１０’の曲線と同様であったため、中央部Ｃ１において角度０度で入射する波長４０５ｎｍの光の反射率は、周辺部Ｐ１において角度０度で入射する波長４０５の光の反射率よりも高くなることがわかった。
また、△レベルの透過率かつ○レベルのスポット形状を得るには、レンズ面Ｓ２において、角度θが０度である中央部Ｃ２における反射防止コート４の層構成として、垂直入射・出射する光の反射率を極小とする波長λ４が４０５〜５００ｎｍの範囲内である層構成を適用するのが好ましいことがわかる。さらには、○レベルの透過率かつ○レベルのスポット形状を得るには、波長λ４が４１０〜４８０ｎｍの範囲内である層構成を適用するのがより好ましいことがわかる。
このことから、中央部Ｃ２における反射防止コート４の層構成として、Ｎｏ．５'〜Ｎｏ．１３'を適用するのが好ましく、Ｎｏ．６'〜Ｎｏ．１２'を適用するのがより好ましいことがわかる。
更に、波長４０５ｎｍの光の透過率が９７％以上で、かつスポット形状が○レベルとなるようにするには、波長λ２が４８０〜５７０ｎｍの範囲内である層構成をレンズ面Ｓ１に適用し、中央部Ｃ１における反射防止コート３の層構成として、図８に示すＮｏ．１２'〜 Ｎｏ．１５'を適用するのが好ましいことがわかる。なお、この時、レンズ面Ｓ１の角度θが４５度のレンズ面Ｓ１の周辺部Ｐ１において角度０度で入射する光の反射率は、４００〜４８０ｎｍの波長範囲に極小値を示していた。また、中央部Ｃ１において角度０度で入射する波長４０５ｎｍの光の反射率は、周辺部Ｐ１において角度０度で入射する波長４０５ｎｍの光の反射率より高くなった。
更に、波長λ４が４１０〜４５０ｎｍの範囲内である層構成をレンズ面Ｓ２に適用し、中央部Ｃ２における反射防止コート４の層構成として、図８に示すＮｏ．６'〜 Ｎｏ．１０'を適用するのが好ましいことがわかる。
【０１８３】
＜レンズの評価＞
真空蒸着法により、レンズ状に加工された基材２のレンズ面Ｓ１，Ｓ２に下記表２に示す層構成（各欄に示す層構成の番号は、上記図８に対応）の反射防止コート３，４をそれぞれ形成し、レンズを作成した（実施例４，５）。
【０１８４】
【表２】
2005011494.tif 000004
【０１８５】
実施例４の高ＮＡのレンズにおいては、レンズ面Ｓ１に４０５ｎｍの平行光を照射した際、光の透過率は９６．２％であり、ビームスポット形状は良好であった。
また、実施例５の高ＮＡのレンズにおいては、レンズ面Ｓ１に４０５ｎｍの平行光を照射した際、９７．６％と非常に良好な光透過率が得られ、ビームスポット形状は良好であった。したがって、実施例４，５により、高い開口数を有する集光性の良い対物レンズを提供できることがわかる。また、光ピックアップ装置において実施例４，５のレンズを対物レンズとして用いることにより、情報記録の大容量化を実現できることがわかる。
一方、比較例２のレンズにおいては、レンズ面Ｓ１に４０５ｎｍの平行光を照射した際、光の透過率は９４．８％と低く、かつ、ビームスポット形状にはノイズ光が多く含まれ×レベルであった。従って、光ピックアップ装置の対物レンズとして用いるには不適当であった。
【０１８６】
３．第３の実施の形態例のレンズ
＜レンズの透過率およびスポット形状の評価＞
上述の第３の実施の形態例のレンズ７において、第１レンズ７aのレンズ面Ｓ１a、レンズ面Ｓ２aに図８に示す層構成の反射防止コートを設け、第２レンズ７ｂのレンズ面Ｓ１ｂに図８に示すＮｏ．１１'のコートを設け、レンズ面Ｓ２ｂに図８に示すＮｏ．８'のコートを設けた場合について、レンズ７の透過率及びビームスポット形状を評価した。その結果を、図１０に示す。
また、波長４０５ｎｍの平行光を照射した時の透過率を括弧内に記す。
ここで、レンズ７aとしては、レンズ面Ｓ１aに角度θが０〜３５度以上の領域を有する形状のものを用いた。またレンズ７ｂとしては、レンズ面Ｓ１ｂに面角度θが０〜５０度以上の領域を有する形状のものを用いた。
ここで、図１０の「λ５（λ６）」の欄には、第１レンズ７ａのレンズ面Ｓ１ａに設けられる反射防止コートにおいて、垂直で入射・出射するレンズ中央部Ｃ１ａの光の反射率を極小とする波長を示している。なお、括弧内には、角度θが３０度であるレンズ面Ｓ１の周辺部Ｐ１において角度０度で入射する光の反射率を極小とする波長λ６の値を示している。
また、「λ９」の欄には、第１レンズ７ａのレンズ面Ｓ２ａに設けられる反射防止コートにおいて、垂直で入射・出射するレンズ中央部Ｃ２ａの光の反射率を極小とする波長を示している。なお、反射率の測定には、反射分光膜厚計（ＦＥ−３０００）（大塚電子株式会社製）を用いた。
また、その他の点においては、図１０の表の形式は、図９の表の形式と同様である。
【０１８７】
図１０から、第１レンズ７ａの反射防止コートに適用するのに好ましい層構成を知ることができる。
【０１８８】
すなわち、光ピックアップ装置の半導体レーザー光源の波長が、４００〜４４０ｎｍの範囲内である場合には、△レベルの透過率かつ○レベルのスポット形状を得るには、レンズ面Ｓ１ａにおいて、角度θが０度である中央部Ｃ１ａにおける反射防止コートの層構成として、垂直入射・出射する光の反射率を極小とする波長λ５が４１０〜６００ｎｍの範囲内である層構成を適用するのが好ましいことがわかる。なお、波長λ５が４１０〜６００ｎｍの範囲内である層構成を中央部C１aにおける反射防止コート３に適用した場合には、角度θが３０度である周辺部Ｐ１aにおいて垂直入射する光の反射率を極小とする波長λ６は、３７０〜５５０ｎｍであった。
さらには、○レベルの透過率かつ○レベルのスポット形状を得るには、波長λ５が４２０〜５６０ｎｍの範囲内である層構成を適用するのが好ましいことがわかる。なお、図１０に示されるように、波長λ５が４２０〜５６０ｎｍの範囲内である層構成を中央部Ｃ１ａにおける反射防止コート３に適用した場合には、角度θが３０度である周辺部Ｐ１ａにおいて垂直入射する光の反射率を極小とする波長λ６は３８０〜５２０ｎｍの範囲であった。また、垂直入射する光の反射率の波長依存性は図１２のＮｏ．１０’の曲線と同様であったため、中央部Ｃ１ａにおいて角度０度で入射する波長４０５ｎｍの光の反射率は、周辺部Ｐ１ａにおいて角度０度で入射する波長４０５ｎｍの光の反射率よりも高くなることがわかった。
また、△レベルの透過率かつ○レベルのスポット形状を得るには、レンズ面Ｓ２ａにおいて、角度θが０度である中央部Ｃ２ａにおける反射防止コートの層構成として、垂直入射・出射する光の反射率を極小とする波長λ９が３８０〜５００ｎｍの範囲内である層構成を適用するのが好ましいことがわかる。さらには、○レベルの透過率かつ○レベルのスポット形状を得るには、波長λ９が４００〜４８０ｎｍの範囲内である層構成を適用するのが好ましいことがわかる。
以上から、中央部Ｃ１ａにおける反射防止コートの層構成として、図８に示すＮｏ．６'〜Ｎｏ．１６'を適用するのが好ましく、中央部Ｃ２ａにおける反射防止コートの層構成として、Ｎｏ．２'〜Ｎｏ．１３'を適用するのが好ましいことがわかる。
【０１８９】
また、上述の第３の実施の形態例のレンズ７において、第１レンズ７aのレンズ面Ｓ１aに図８に示すＮｏ．１０'のコートを設け、レンズ面Ｓ２ａに図８に示すＮｏ．６'のコートを設け、第２レンズ７ｂのレンズ面Ｓ１ｂ、レンズ面S２ｂに図８に示す層構成の反射防止コートを設けた場合について、レンズ７の透過率及び、ビームスポット形状を評価した。その結果を、図１１に示す。
また、波長４０５ｎｍの平行光を照射した時の透過率を括弧内に記す。
ここで、図１１の「λ７（λ８）」の欄には、第２レンズ７ｂのレンズ面Ｓ１ｂに設けられる反射防止コートにおいて、垂直入射・出射するレンズ中央部Ｃ１ｂの光の反射率を極小とする波長を示している。なお、括弧内には、角度θが４５度であるレンズ面Ｓ１の周辺部Ｐ１において角度０度で入射する光の反射率を極小とする波長λ８の値を示している。
また、「λ１０」の欄には、第２レンズ７ｂのレンズ面Ｓ２ｂに設けられる反射防止コートにおいて、垂直で入射・出射するレンズ中央部Ｃ２ｂの光の反射率を極小とする波長を示している。また、その他の点においては、図１１の表の形式は、図１０の表の形式と同様である。
【０１９０】
図１１から、第２レンズ７ｂの反射防止コートに適用するのに好ましい層構成を知ることができる。
【０１９１】
すなわち、光ピックアップ装置の半導体レーザー光源のレーザー光の波長が、４００〜４４０ｎｍの範囲内である場合には、△レベルの透過率かつ○レベルのスポット形状を得るには、レンズ面Ｓ１ｂにおいて、角度θが0度である中央部Ｃ１ｂにおける反射防止コートの層構成として、垂直入射する光の反射率を極小とする波長λ７が４２０〜６００ｎｍの範囲内である層構成を適用するのが好ましいことがわかる。なお、波長λ７が４２０〜６００ｎｍの範囲内である層構成を中央部C１ｂにおける反射防止コート３に適用した場合には、角度θが４５度である周辺部Ｐ１ｂにおいて垂直入射する光の反射率を極小とする波長λ８は、３５０〜４９０ｎｍであった。
さらには、○レベルの透過率かつ○レベルのスポット形状を得るには、波長λ７が４３０〜５６０ｎｍの範囲内である層構成を適用するのがより好ましいことがわかる。このとき、図１１に示されるように、角度θが４５度である周辺部Ｐ１ｂにおいて垂直入射する光の反射率を極小とする波長λ８は３５７〜４６５ｎｍであり、中央部Ｃ１ｂにおいて角度０度で入射する波長４０５ｎｍの光の反射率は、周辺部Ｐ１ｂにおいて角度０度で入射する光の反射率よりも高くなった。
【０１９２】
また、△レベルの透過率かつ○レベルのスポット形状を得るには、レンズ面Ｓ２ｂにおいて、角度θが０度である中央部Ｃ２ｂにおける反射防止コートの層構成として、垂直入射する光の反射率を極小とする波長λ１０が３８０〜５００ｎｍの範囲内である層構成を適用するのが好ましいことがわかる。
【０１９３】
さらには、○レベルの透過率かつ○レベルのスポット形状を得るには、波長λ１０が３９０〜４８０ｎｍの範囲内である層構成を適用するのがより好ましいことがわかる。
【０１９４】
以上から、中央部Ｃ１ｂにおける反射防止コートの層構成として、図８に示すＮｏ．７'〜 Ｎｏ．１６'を適用するのが好ましく、中央部Ｃ２bにおける反射防止コートの層構成として、図８に示すＮｏ．２'〜 Ｎｏ．１３'を適用するのが好ましいことがわかる。
【０１９５】
更に、図１０から、４０５ｎｍの波長の平行光を照射した時、レンズ７で９７％以上の高い透過率を得、かつ良好なビーム形状を得るには、第１レンズ７aの反射防止コートにλ５が４２０〜４８０ｎｍの層構成を適用し、レンズ面Ｓ１aの中央部の反射防止コートに図８に示すＮｏ．７'〜 Ｎｏ．１２'を適用するのが好ましいことがわかる。なお、この場合、角度θが３０度である周辺部Ｐ１aにおいて垂直入射する光の反射率を極小とする波長λ６は、３８０〜４４０ｎｍであった。
また、λ９には４００〜４３０ｎｍの範囲内である層構成を適用し、レンズ面Ｓ２aの中央部の反射防止コートに図８に示すＮｏ．４'〜 Ｎｏ．８'を適用するのが好ましいことがわかる。
【０１９６】
また、図１１から、４０５ｎｍの波長の平行光を照射した時、レンズ７で９７％以上の高い透過率を得、かつ良好なビーム形状を得るには、第２レンズ７ｂの反射防止コートにλ７が４３０〜４８０ｎｍの層構成を適用し、レンズ面Ｓ１ｂの中央部の反射防止コートに図８に示すＮｏ．８'〜 Ｎｏ．１２'を適用するのが好ましいことがわかる。なお、この場合、角度θが４５度である周辺部Ｐ１ｂにおいて垂直入射する光の反射率を極小とする波長λ８は、３５７〜４００ｎｍであった。
また、λ１０には４０５〜４５０ｎｍの範囲内である層構成を適用し、レンズ面Ｓ２ｂの中央部の反射防止コートに図８に示すＮｏ．５'〜 Ｎｏ．１０'を適用するのが好ましいことがわかる。
【０１９７】
＜レンズの評価＞
真空蒸着法により、レンズ状に加工された基材のレンズ面Ｓ１ａ，Ｓ２ａ・Ｓ１ｂ・Ｓ２ｂに、下記表３に示す層構成（各欄に示す層構成の番号は、上記図８に対応）の反射防止コートをそれぞれ形成し、レンズ７を作成した（実施例６，７、比較例３）。
【０１９８】
【表３】
2005011494.tif 000005
【０１９９】
実施例６の高ＮＡのレンズにおいては、レンズ面Ｓ１ａに４０５ｎｍの平行光を照射した際、光の透過率は９６．４％であり、ビームスポット形状は良好であった。また、実施例７の高ＮＡのレンズにおいては、４０５ｎｍの平行光を照射した際、光の透過率は９７．２％であり、ビームスポットは良好であった。したがって、実施例６，７により、高い開口数を有する集光性の良い対物レンズを提供できることがわかる。また、光ピックアップ装置において実施例６，７のレンズを対物レンズとして用いることにより、情報記録の大容量化を実現できることがわかる。
【０２００】
また、実施例７の層構成において、低屈折率材料を酸化シリコンの代わりに酸化シリコン及び酸化アルミニウムの混合材料を用いた場合、より詳細には、基材としてゼオネックス樹脂（日本ゼオン（株）製樹脂）を用い、前記混合材料としてメルク（株）社製の蒸着材料「サブスタンスＬ５」を使用した場合には、耐熱性が向上した。
具体的には、実施例７の反射防止コートを設けた場合には、９０℃以上の温度環境下（湿度３０％）に１週間放置したときに、反射防止コートにクラックが発生した。一方、実施例７の層構成において酸化シリコンの代わりに酸化シリコン及び酸化アルミニウムの混合材料を使用した反射防止コートでは、９５℃以下の高温環境下（湿度３０％）に１週間以上放置しても、反射防止コートにクラックは発生せず、耐熱性の向上が見られた。但し、９７℃以上の高温環境下（湿度３０％）ではクラックが発生した。
【０２０１】
また、実施例７の構成において、レンズ面Ｓ２ｂの反射防止コートを酸化シリコンの単層構成の反射防止コートに置き換えたレンズ（以下、実施例７’のレンズとする）を形成し、反射率を極小とする波長が実施例７と同様に４３０ｎｍとなるよう、レンズ面Ｓ２ｂの中心部Ｃ２ｂにおける膜厚を約７３ｎｍにした。実施例７のレンズと実施例７’のレンズとについて耐拭性、耐光性を比較したところ、耐拭性については、実施例７では３０〜４２回、実施例７’では１１０回となった。また、耐光性については、実施例７では１７０ｈ、実施例７’では２２０ｈとなった。この結果より、耐拭性、耐光性ともに実施例７’が実施例７よりも優れた性能を示すことが分かった。なお、耐光性の向上は、酸化シリコンの代わりに酸化シリコン及び酸化アルミニウムの混合材料を用いても同様に得られた。
【０２０２】
一方、比較例３のレンズにおいては、レンズ面Ｓ１に４０５ｎｍの平行光を照射した際、光の透過率は８７％と低く、ビームスポット形状はスポット幅が広くなり実用上不十分であった。したがって、比較例３のレンズは、波長４０５ｎｍのレーザー光を用いる光ピックアップ装置の対物レンズには不適であり、また、比較例３のレンズによっては、光情報記録の大容量化の実現は困難であることがわかる。
【図面の簡単な説明】
【０２０３】
【図１】第１の実施の形態例のレンズを示す概略縦断面図である。
【図２】図１に示すレンズの部分拡大断面図である。
【図３】図１に示すレンズを備える光ピックアップ装置を示す概略構成図である。
【図４】第３の実施の形態例のレンズを示す概略縦断面図である。
【図５】第１の実施の形態例のレンズに適用される反射防止コートの層構成と、光の反射率が極小となる波長と、を示す表である。
【図６】図５に示す層構成の反射防止コートを有する第１の実施の形態例のレンズの光の透過率と、この透過率およびビームスポット形状の評価とを示す表である。
【図７】ビームスポット形状の評価について説明するための図面である。
【図８】第２・第３の実施の形態例のレンズに適用される反射防止コートの層構成と、光の反射率が極小となる波長と、を示す表である。
【図９】図８に示す層構成の反射防止コートを有する第２の実施の形態例のレンズの光の透過率と、この透過率およびビームスポット形状の評価とを示す表である。
【図１０】図８に示す層構成の反射防止コートを有する第３の実施の形態例のレンズの第１レンズの光の透過率と、この透過率およびビームスポット形状の評価とを示す表である。
【図１１】図８に示す層構成の反射防止コートを有する第３の実施の形態例のレンズの第２レンズの光の透過率と、この透過率およびビームスポット形状の評価とを示す表である。
【図１２】図５、図８に示した層構成の反射防止コートの光の反射率の波長依存性の例を示すグラフである。
【符号の説明】
【０２０４】
１    レンズ（光学レンズ）
３    反射防止コート（反射防止膜）
４    反射防止コート（反射防止膜）
７    レンズ（光学レンズ）
７ａ  第１レンズ
７ｂ  第２レンズ
１０    光ピックアップ装置（光情報記録再生装置）
１１    半導体レーザー光源（レーザー光源）
１５    対物レンズ（光学レンズ）
Ｃ１、Ｃ１ａ、Ｃ１ｂ、Ｃ２、Ｃ２ａ、Ｃ２ｂ  中央部
Ｐ１    周辺部
Ｒ      光記録媒体
Ｓ１  レンズ面（光入射側レンズ面）
Ｓ１ａ  レンズ面（第１光入射側レンズ面）
Ｓ１ｂ  レンズ面（第２光入射側レンズ面）
Ｓ２  レンズ面（光出射側レンズ面）
Ｓ２ａ  レンズ面（第１光出射側レンズ面）
Ｓ２ｂ  レンズ面（第２光出射側レンズ面）
【図１】
2005011494.tif 000006
【図２】
2005011494.tif 000007
【図３】
2005011494.tif 000008
【図４】
2005011494.tif 000009
【図５】
2005011494.tif 000010
【図６】
2005011494.tif 000011
【図７】
2005011494.tif 000012
【図８】
2005011494.tif 000013
【図９】
2005011494.tif 000014
【図１０】
2005011494.tif 000015
【図１１】
2005011494.tif 000016
【図１２】
2005011494.tif 000017